(57)【要約】【課題】チケットの検札を容易にするとともに、製造および設置にかかるコストを低減するのに好適なチケット検札システムを提供する。【解決手段】指定席券カード１００は、指定席券確認信号を無線により受信したときは、ＲＦＩＤ非接触型ＩＣタグ１０２の指定席券情報を無線により送信する。指定席券検札端末２００は、タグ情報読取部２０２により指定席券確認信号を送信し、タグ情報読取部２０２により指定席券情報を受信したときは、受信した指定席券情報に基づいて指定席券の検札を行う。【選択図】　図１
2004038418.tif 000002
【特許請求の範囲】
【請求項１】
チケットの代替として利用されるチケット代替端末と、前記チケットの検札を行うチケット検札端末とを備え、前記チケットに関するチケット情報に基づいて前記チケットの検札を行うシステムであって、
前記チケット情報を記憶するためのチケット情報記憶手段を備え、
前記チケット代替端末は、無線通信を行う代替端末側無線通信手段を有し、前記チケット検札端末からの要求に応じて前記チケット情報記憶手段のチケット情報を前記代替端末側無線通信手段により送信するようになっており、
前記チケット検札端末は、無線通信を行う検札端末側無線通信手段を有し、前記検札端末側無線通信手段により前記チケット情報を受信したときは、受信したチケット情報に基づいて前記チケットの検札を行うようになっていることを特徴とするチケット検札システム。
【請求項２】
チケットの代替として利用されるチケット代替端末と、前記チケットの検札を行うチケット検札端末とを備え、前記チケットに関するチケット情報に基づいて前記チケットの検札を行うシステムであって、
前記チケット代替端末は、前記チケット情報を記憶するためのチケット情報記憶手段と、無線通信を行う代替端末側無線通信手段とを有し、前記代替端末側無線通信手段により前記チケット情報の提供要求を受信したときは、前記チケット情報記憶手段のチケット情報を前記代替端末側無線通信手段により送信するようになっており、
前記チケット検札端末は、無線通信を行う検札端末側無線通信手段を有し、前記検札端末側無線通信手段により前記提供要求を送信し、前記検札端末側無線通信手段により前記チケット情報を受信したときは、受信したチケット情報に基づいて前記チケットの検札を行うようになっていることを特徴とするチケット検札システム。
【請求項３】
請求項２において、
前記チケット情報記憶手段及び前記代替端末側無線通信手段は、前記チケット情報を記憶可能で且つ当該チケット情報を非接触で読取可能な非接触型タグであり、
前記検札端末側無線通信手段は、前記非接触型タグから前記チケット情報を非接触で読み取るチケット情報読取手段であることを特徴とするチケット検札システム。
【請求項４】
請求項３において、
前記チケット情報は、指定席券に関する指定席券情報であり、
前記チケット検札端末は、前記チケット情報読取手段で読み取った指定席券情報を表示するようになっていることを特徴とするチケット検札システム。
【請求項５】
請求項４において、
前記チケット検札端末は、前記指定席の予約を確認するのに必要な予約確認情報を記憶するための予約確認情報記憶手段を有し、前記チケット情報読取手段で読み取った指定席券情報及び前記予約確認情報記憶手段の予約確認情報に基づいて前記指定席の利用が正当であるかを判定するようになっていることを特徴とするチケット検札システム。
【請求項６】
請求項５において、
さらに、前記指定席の予約を管理する予約管理端末を備え、
前記予約管理端末は、前記予約確認情報を記憶するための予約確認情報記憶手段を有し、前記予約確認情報の提供要求を受信したときは、前記予約確認情報記憶手段の予約確認情報を前記チケット検札端末に送信するようになっており、
前記チケット検札端末は、前記提供要求を前記予約管理端末に送信し、前記予約確認情報を受信したときは、受信した予約確認情報を前記予約確認情報記憶手段に記憶するようになっていることを特徴とするチケット検札システム。
【請求項７】
請求項６において、
さらに、前記指定席券を発行する指定席券発行装置を備え、
前記指定席券発行装置は、前記指定席券情報を前記非接触型タグに書き込む指定席券情報書込手段を有し、前記指定席券情報の提供要求を前記予約管理端末に送信し、前記指定席券情報を受信したときは、受信した指定席券情報を前記指定席券情報書込手段により前記非接触型タグに書き込むようになっており、
前記予約管理端末は、前記指定席券情報を生成する指定席券情報生成手段を有し、前記提供要求を受信したときは、前記指定席券情報生成手段で生成した指定席券情報を前記指定席券発行装置に送信するようになっていることを特徴とするチケット検札システム。
【請求項８】
請求項３において、
前記チケット情報は、指定席券に関する指定席券情報であり、
さらに、前記指定席の予約を管理する予約管理端末を備え、
前記予約管理端末は、前記指定席の予約を確認するのに必要な予約確認情報を記憶するための予約確認情報記憶手段を有し、前記指定席券情報を受信したときは、受信した指定席券情報及び前記予約確認情報記憶手段の予約確認情報に基づいて前記指定席の利用が正当であるかを判定し、その判定結果を示す確認通知を前記チケット検札端末に送信するようになっており、
前記チケット検札端末は、前記チケット情報読取手段で読み取った指定席券情報を前記予約管理端末に送信し、前記確認通知を受信したときは、その旨を表示するようになっていることを特徴とするチケット検札システム。
【請求項９】
チケットの代替として利用されるチケット代替端末と、前記チケット代替端末の所持者の利用に供するユーザ端末と、前記チケットの検札を行うチケット検札端末とを備え、前記チケットに関するチケット情報に基づいて前記チケットの検札を行うシステムであって、
前記チケット情報を記憶するためのチケット情報記憶手段を備え、
前記チケット代替端末は、無線通信を行う代替端末側無線通信手段を有し、前記ユーザ端末からの要求に応じて前記チケット情報記憶手段のチケット情報を前記代替端末側無線通信手段により送信するようになっており、
前記ユーザ端末は、無線通信を行うユーザ端末側無線通信手段を有し、前記チケット検札端末からの要求に応じて前記チケット情報を要求し、前記ユーザ端末側無線通信手段により前記チケット情報を受信したときは、受信したチケット情報を前記チケット検札端末に送信するようになっており、
前記チケット検札端末は、前記チケット情報を受信したときは、受信したチケット情報に基づいて前記チケットの検札を行うようになっていることを特徴とするチケット検札システム。
【請求項１０】
チケットの代替として利用されるチケット代替端末と、前記チケット代替端末の所持者の利用に供するユーザ端末と、前記チケットの検札を行うチケット検札端末とを備え、前記チケットに関するチケット情報に基づいて前記チケットの検札を行うシステムであって、
前記チケット代替端末は、前記チケット情報を記憶するためのチケット情報記憶手段と、無線通信を行う代替端末側無線通信手段とを有し、前記代替端末側無線通信手段により前記チケット情報の提供要求を受信したときは、前記チケット情報記憶手段のチケット情報を前記代替端末側無線通信手段により送信するようになっており、
前記ユーザ端末は、無線通信を行うユーザ端末側無線通信手段を有し、前記提供要求を受信したときは、前記ユーザ端末側無線通信手段により前記提供要求を送信し、前記ユーザ端末側無線通信手段により前記チケット情報を受信したときは、受信したチケット情報を前記チケット検札端末に送信するようになっており、
前記チケット検札端末は、前記提供要求を前記ユーザ端末に送信し、前記チケット情報を受信したときは、受信したチケット情報に基づいて前記チケットの検札を行うようになっていることを特徴とするチケット検札システム。
【請求項１１】
請求項１０において、
前記チケット情報記憶手段及び前記代替端末側無線通信手段は、前記チケット情報を記憶可能で且つ当該チケット情報を非接触で読取可能な非接触型タグであり、
前記ユーザ端末側無線通信手段は、前記非接触型タグから前記チケット情報を非接触で読み取るチケット情報読取手段であることを特徴とするチケット検札システム。
【請求項１２】
請求項１１において、
前記チケット情報は、指定席券に関する指定席券情報であり、
前記チケット検札端末は、前記チケット情報を受信したときは、受信したチケット情報を表示するようになっていることを特徴とするチケット検札システム。
【請求項１３】
請求項１２において、
前記チケット検札端末は、前記指定席の予約を確認するのに必要な予約確認情報を記憶するための予約確認情報記憶手段を有し、前記受信した指定席券情報及び前記予約確認情報記憶手段の予約確認情報に基づいて前記指定席の利用が正当であるかを判定するようになっていることを特徴とするチケット検札システム。
【請求項１４】
列車の指定席券の代替として利用される指定席券代替端末と、前記列車の軌道に沿って設置された列車外装置と、前記指定席券の検札を行う指定席券検札端末とを備え、前記指定席券に関する指定席券情報に基づいて前記指定席券の検札を行うシステムであって、
前記指定席券情報を記憶するための指定席券情報記憶手段を備え、
前記指定席券代替端末は、無線通信を行う代替端末側無線通信手段を有し、前記列車外装置からの要求に応じて前記指定席券情報記憶手段の指定席券情報を前記代替端末側無線通信手段により送信するようになっており、
前記列車外装置は、無線通信を行う車外装置側無線通信手段を有し、前記車外装置側無線通信手段により前記指定席券情報を受信したときは、受信した指定席券情報を前記指定席券検札端末に送信するようになっており、
前記指定席券検札端末は、前記指定席券情報を受信したときは、受信した指定席券情報に基づいて前記指定席券の検札を行うようになっていることを特徴とする指定席券検札システム。
【請求項１５】
列車の指定席券の代替として利用される指定席券代替端末と、前記列車の軌道に沿って設置された列車外装置と、前記指定席券の検札を行う指定席券検札端末とを備え、前記指定席券に関する指定席券情報に基づいて前記指定席券の検札を行うシステムであって、
前記指定席券代替端末は、前記指定席券情報を記憶するための指定席券情報記憶手段と、無線通信を行う代替端末側無線通信手段とを有し、前記代替端末側無線通信手段により前記指定席券情報の提供要求を受信したときは、前記指定席券情報記憶手段の指定席券情報を前記代替端末側無線通信手段により送信するようになっており、
前記列車外装置は、無線通信を行う車外装置側無線通信手段を有し、前記車外装置側無線通信手段により前記提供要求を送信し、前記車外装置側無線通信手段により前記指定席券情報を受信したときは、受信した指定席券情報を前記指定席券検札端末に送信するようになっており、
前記指定席券検札端末は、前記指定席券情報を受信したときは、受信した指定席券情報に基づいて前記指定席券の検札を行うようになっていることを特徴とする指定席券検札システム。
【請求項１６】
請求項１５において、
前記指定席券情報記憶手段及び前記代替端末側無線通信手段は、前記指定席券情報を記憶可能で且つ当該指定席券情報を非接触で読取可能な非接触型タグであり、
前記車外装置側無線通信手段は、前記非接触型タグから前記指定席券情報を非接触で読み取る指定席券情報読取手段であることを特徴とする指定席券検札システム。
【請求項１７】
請求項１６において、
前記指定席券検札端末は、前記指定席券情報を受信したときは、受信した指定席券情報を表示するようになっていることを特徴とする指定席券検札システム。
【請求項１８】
請求項１７において、
前記指定席券検札端末は、前記指定席の予約を確認するのに必要な予約確認情報を記憶するための予約確認情報記憶手段を有し、前記受信した指定席券情報及び前記予約確認情報記憶手段の予約確認情報に基づいて前記指定席の利用が正当であるかを判定するようになっていることを特徴とする指定席券検札システム。
【請求項１９】
請求項１記載のチケット検札システムに適用される端末であって、
無線通信を行う代替端末側無線通信手段を備え、
前記チケット検札端末からの要求に応じて前記チケット情報記憶手段のチケット情報を前記代替端末側無線通信手段により送信するようになっていることを特徴とするチケット代替端末。
【請求項２０】
請求項９記載のチケット検札システムに適用される端末であって、
無線通信を行う代替端末側無線通信手段を備え、
前記ユーザ端末からの要求に応じて前記チケット情報記憶手段のチケット情報を前記代替端末側無線通信手段により送信するようになっていることを特徴とするチケット代替端末。
【請求項２１】
請求項１４記載の指定席券検札システムに適用される端末であって、
無線通信を行う代替端末側無線通信手段を備え、
前記列車外装置からの要求に応じて前記指定席券情報記憶手段の指定席券情報を前記代替端末側無線通信手段により送信するようになっていることを特徴とする指定席券代替端末。
【請求項２２】
請求項１記載のチケット検札システムに適用される端末であって、
無線通信を行う検札端末側無線通信手段を備え、
前記検札端末側無線通信手段により前記チケット情報を受信したときは、受信したチケット情報に基づいて前記チケットの検札を行うようになっていることを特徴とするチケット検札端末。
【請求項２３】
請求項９記載のチケット検札システムに適用される端末であって、
前記チケット情報を受信したときは、受信したチケット情報に基づいて前記チケットの検札を行うようになっていることを特徴とするチケット検札端末。
【請求項２４】
請求項１４記載の指定席券検札システムに適用される端末であって、
前記指定席券情報を受信したときは、受信した指定席券情報に基づいて前記指定席券の検札を行うようになっていることを特徴とする指定席券検札端末。
【請求項２５】
請求項９記載のチケット検札システムに適用される端末であって、
無線通信を行うユーザ端末側無線通信手段を備え、
前記チケット検札端末からの要求に応じて前記チケット情報を要求し、前記ユーザ端末側無線通信手段により前記チケット情報を受信したときは、受信したチケット情報を前記チケット検札端末に送信するようになっていることを特徴とするユーザ端末。
【請求項２６】
請求項１４記載の指定席券検札システムに適用される装置であって、
無線通信を行う車外装置側無線通信手段を備え、
前記車外装置側無線通信手段により前記指定席券情報を受信したときは、受信した指定席券情報を前記指定席券検札端末に送信するようになっていることを特徴とする列車外装置。
【請求項２７】
コンピュータからなる請求項１９記載のチケット代替端末に実行させるためのプログラムであって、
前記チケット検札端末からの要求に応じて前記チケット情報記憶手段のチケット情報を前記代替端末側無線通信手段により送信する処理を実行させるためのプログラムであることを特徴とする端末用プログラム。
【請求項２８】
コンピュータからなる請求項２０記載のチケット代替端末に実行させるためのプログラムであって、
前記ユーザ端末からの要求に応じて前記チケット情報記憶手段のチケット情報を前記代替端末側無線通信手段により送信する処理を実行させるためのプログラムであることを特徴とする端末用プログラム。
【請求項２９】
コンピュータからなる請求項２１記載の指定席券代替端末に実行させるためのプログラムであって、
前記列車外装置からの要求に応じて前記指定席券情報記憶手段の指定席券情報を前記代替端末側無線通信手段により送信する処理を実行させるためのプログラムであることを特徴とする端末用プログラム。
【請求項３０】
コンピュータからなる請求項２２記載のチケット検札端末に実行させるためのプログラムであって、
前記検札端末側無線通信手段により前記チケット情報を受信したときは、受信したチケット情報に基づいて前記チケットの検札を行う処理を実行させるためのプログラムであることを特徴とする端末用プログラム。
【請求項３１】
コンピュータからなる請求項２３記載のチケット検札端末に実行させるためのプログラムであって、
前記チケット情報を受信したときは、受信したチケット情報に基づいて前記チケットの検札を行う処理を実行させるためのプログラムであることを特徴とする端末用プログラム。
【請求項３２】
コンピュータからなる請求項２４記載の指定席券検札端末に実行させるためのプログラムであって、
前記指定席券情報を受信したときは、受信した指定席券情報に基づいて前記指定席券の検札を行う処理を実行させるためのプログラムであることを特徴とする端末用プログラム。
【請求項３３】
コンピュータからなる請求項２５記載のユーザ端末に実行させるためのプログラムであって、
前記チケット検札端末からの要求に応じて前記チケット情報を要求し、前記ユーザ端末側無線通信手段により前記チケット情報を受信したときは、受信したチケット情報を前記チケット検札端末に送信する処理を実行させるためのプログラムであることを特徴とする端末用プログラム。
【請求項３４】
コンピュータからなる請求項２６記載の列車外装置に実行させるためのプログラムであって、
前記車外装置側無線通信手段により前記指定席券情報を受信したときは、受信した指定席券情報を前記指定席券検札端末に送信する処理を実行させるためのプログラムであることを特徴とする装置用プログラム。
【請求項３５】
チケットの代替として利用されるチケット代替端末と、前記チケットの検札を行うチケット検札端末とを利用し、前記チケットに関するチケット情報に基づいて前記チケットの検札を行う方法であって、
前記チケット情報をチケット情報記憶手段に記憶するチケット情報記憶ステップを含み、
前記チケット検札端末に対しては、
前記チケット情報の提供要求を前記チケット代替端末に対して行う提供要求ステップを含み、
前記チケット代替端末に対しては、
前記チケット検札端末からの要求に応じて、前記チケット代替端末に設けられた代替端末側無線通信手段により、前記チケット情報記憶手段のチケット情報を送信するチケット情報送信ステップを含み、
前記チケット検札端末に対しては、
前記チケット検札端末に設けられた検札端末側無線通信手段により前記チケット情報を受信するチケット情報受信ステップと、前記チケット情報受信ステップで受信したチケット情報に基づいて前記チケットの検札を行うチケット検札ステップとを含むことを特徴とするチケット検札方法。
【請求項３６】
チケットの代替として利用されるチケット代替端末と、前記チケット代替端末の所持者の利用に供するユーザ端末と、前記チケットの検札を行うチケット検札端末とを利用し、前記チケットに関するチケット情報に基づいて前記チケットの検札を行う方法であって、
前記チケット情報をチケット情報記憶手段に記憶するチケット情報記憶ステップを含み、
前記チケット検札端末に対しては、
前記チケット情報の提供要求を前記ユーザ端末に対して行う第１提供要求ステップを含み、
前記ユーザ端末に対しては、
前記チケット検札端末からの要求に応じて、前記チケット情報の提供要求を前記チケット代替端末に対して行う第２提供要求ステップを含み、
前記チケット代替端末に対しては、
前記ユーザ端末からの要求に応じて、前記チケット代替端末に設けられた代替端末側無線通信手段により、前記チケット情報記憶手段のチケット情報を送信する第１チケット情報送信ステップを含み、
前記ユーザ端末に対しては、
前記ユーザ端末に設けられたユーザ端末側無線通信手段により前記チケット情報を受信する第１チケット情報受信ステップと、前記第１チケット情報受信ステップで受信したチケット情報を前記チケット検札端末に送信する第２チケット情報送信ステップとを含み、
前記チケット検札端末に対しては、
前記チケット情報を受信する第２チケット情報受信ステップと、前記第２チケット情報受信ステップで受信したチケット情報に基づいて前記チケットの検札を行うチケット検札ステップとを含むことを特徴とするチケット検札方法。
【請求項３７】
列車の指定席券の代替として利用される指定席券代替端末と、前記列車の軌道に沿って設置された列車外装置と、前記指定席券の検札を行う指定席券検札端末とを利用し、前記指定席券に関する指定席券情報に基づいて前記指定席券の検札を行う方法であって、
前記指定席券情報を指定席券情報記憶手段に記憶する指定席券情報記憶ステップを含み、
前記列車外装置に対しては、
前記指定席券情報の提供要求を前記指定席券代替端末に対して行う提供要求ステップを含み、
前記指定席券代替端末に対しては、
前記列車外装置からの要求に応じて、前記指定席券代替端末に設けられた代替端末側無線通信手段により、前記指定席券情報記憶手段の指定席券情報を送信する第１指定席券情報送信ステップを含み、
前記列車外装置に対しては、
前記列車外装置に設けられた車外装置側無線通信手段により前記指定席券情報を受信する第１指定席券情報受信ステップと、前記第１指定席券情報受信ステップで受信した指定席券情報を前記指定席券検札端末に送信する第２指定席券情報送信ステップとを含み、
前記指定席券検札端末に対しては、
前記指定席券情報を受信する第２指定席券情報受信ステップと、前記第２指定席券情報受信ステップで受信した指定席券情報に基づいて前記指定席券の検札を行う指定席券検札ステップとを含むことを特徴とする指定席券検札方法。
【発明の詳細な説明】
【０００１】
【発明の属する技術分野】
本発明は、チケットの検札を行うシステム、並びにそれに適用する端末、装置、プログラムおよび方法に係り、特に、チケットの検札を容易にするとともに、製造および設置にかかるコストを低減するのに好適なチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法に関する。
【０００２】
【従来の技術】
乗客が席を予約する指定席方式により運用がなされている列車等では、座席表を持った乗務員が指定席に着席しているすべての乗客に乗車券および指定席券の検札を行い、指定席の利用が正当であるかをチェックしている。
従来、指定席券の検札を支援する技術としては、例えば、特開平５−２７４３２７号公報に開示された指定席管理装置（以下、第１の従来例という。）、特開平８−３２９２９１号公報に開示された指定席券自動検札システム（以下、第２の従来例という。）、特開平９−１８３３６７号公報に開示された指定席管理システム（以下、第３の従来例という。）、特開平１０−２１１８４１号公報に開示された指定席管理システム（以下、第４の従来例という。）、および特開２０００−２７６６１５号公報に開示された指定席管理システム（以下、第５の従来例という。）があった。
【０００３】
第１の従来例は、指定席券情報を磁気記録した指定席券と、指定席券に記録された情報を読み取る座席ごとに装着された座席ユニットと、各座席ユニットからの信号と車両走行情報から着席状況を判定する管理ユニットと、各座席への着席可否を表示する表示部とからなる。
これにより、乗務員は、管理ユニットから車両内の指定席着席状況に関する情報を表示部から受け取ることができるので、１人１人検札する必要がなく、よって検札業務に要する時間を短縮することができる。また乗客も検札に煩わされることがなく休息でき、サービス向上効果がある。
【０００４】
第２の従来例は、送信した質問信号に対する応答信号を受信する質問器と、質問器が送出する電波を受信したときにあらかじめ設定された情報により電波を変調した変調信号を送出して質問器に応答する応答器と、表示装置とを備える。応答器は、列車の指定席券に貼着され、あらかじめ設定された情報としての指定席の座席を識別するための座席識別情報を少なくとも記憶している。また、質問器は、列車の全指定席座席の近傍に設置され、指定席の座席を識別するための座席識別情報を少なくとも記憶しており、質問器からの信号に対応して応答器から送信される座席識別情報と質問器が記憶している座席識別情報とが比較判定され、その結果が表示装置に表示される。
【０００５】
これにより、指定席券検札業務を簡素化することができる。
第３の従来例は、旅客室内の各座席に読取装置およびテレメータ送信装置を設けてある。読取装置は、指定席券から指定席券情報を読取る。テレメータ送信装置は、読取装置によって読取られた指定席券情報を変調して電波にて送信する。車掌室には、テレメータ受信装置および表示装置を設けてある。テレメータ受信装置は、テレメータ送信装置からの電波を受信して指定席券情報を復調し、表示装置は、復調された指定席券情報を表示する。
【０００６】
第４の従来例は、車両の指定席の座席領域内に設けられた指定席券の情報を読み取る指定席券情報読取部と、指定席券情報読取部で読み取られた指定席券の券面情報と指定席に対応する指定席券情報とを比較してそのデータが一致しているかを判断する券面情報一致判断部と、指定席の座席に設けられた着席確認検出部と、着席確認検出部によって検出された着席検出データとあらかじめ設定されている着席予定データとを表示する表示部とを具備している。
【０００７】
これにより、指定席の目視チェックを省き、指定席の不正利用をも防止することができる。
第５の従来例は、各座席（指定席）ごとに、表示器、ＬＥＤ、リーダ／ライタ、確認ボタンを設ける。制御装置は、例えば各車両ごとに設けられ、その車両の座席の上記構成を制御する。すなわち、制御部は、プログラムメモリに格納されているプログラムを実行することにより、例えば、記憶部に記憶される座席情報を参照して、未予約である座席のＬＥＤを点灯制御する。指定席の途中利用者は、ＬＥＤによって未予約席を知り、リーダ／ライタに自己のＩＣカードを提示して、指定席券の発券と料金の徴収を受ける。また、車掌等は、ＬＥＤの点灯状況と乗客の着座状況を見ることで指定席の不正利用をチェックできる。
【０００８】
これにより、指定席の途中利用をＩＣカードを利用して簡単に行え、また指定席の不正利用のチェックも行うことができる。
【０００９】
【発明が解決しようとする課題】
しかしながら、第１の従来例にあっては、各指定席ごとに座席ユニットを設置する構成であるため、座席ユニットの製造・設置にコストがかかるという問題があった。
また、第２の従来例にあっては、各指定席ごとに質問器を設置する構成であるため、質問器の製造・設置にコストがかかるという問題があった。
【００１０】
また、第３の従来例にあっては、読取装置およびテレメータ送信装置を各指定席ごとに設置する構成であるため、読取装置およびテレメータ送信装置の製造・設置にコストがかかるという問題があった。
また、第４の従来例にあっては、指定席券情報読取部を各指定席ごとに設置する構成であるため、指定席券情報読取部の製造・設置にコストがかかるという問題があった。
【００１１】
また、第５の従来例にあっては、表示器、ＬＥＤ、リーダ／ライタ、確認ボタンを各指定席ごとに設置する構成であるため、それら機器の製造・設置にコストがかかるという問題があった。
なお、これらのことは、列車において指定席券の検札を行う場合に限らず、コンサート、その他のイベントにおいて座席チケットの検札を行う場合にも同様に想定される問題である。
【００１２】
そこで、本発明は、このような従来の技術の有する未解決の課題に着目してなされたものであって、チケットの検札を容易にするとともに、製造および設置にかかるコストを低減するのに好適なチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法を提供することを目的としている。
【００１３】
【課題を解決するための手段】
〔発明１〕
上記目的を達成するために、発明１のチケット検札システムは、
チケットの代替として利用されるチケット代替端末と、前記チケットの検札を行うチケット検札端末とを備え、前記チケットに関するチケット情報に基づいて前記チケットの検札を行うシステムであって、
前記チケット情報を記憶するためのチケット情報記憶手段を備え、
前記チケット代替端末は、無線通信を行う代替端末側無線通信手段を有し、前記チケット検札端末からの要求に応じて前記チケット情報記憶手段のチケット情報を前記代替端末側無線通信手段により送信するようになっており、
前記チケット検札端末は、無線通信を行う検札端末側無線通信手段を有し、前記検札端末側無線通信手段により前記チケット情報を受信したときは、受信したチケット情報に基づいて前記チケットの検札を行うようになっていることを特徴とする。
【００１４】
このような構成であれば、チケットの検札を行う場合は、チケット検札端末において、チケット情報の提供要求をチケット代替端末に対して行う。
チケット代替端末では、チケット検札端末からの要求に応じて、チケット情報記憶手段のチケット情報が代替端末側無線通信手段により送信される。
チケット検札端末では、検札端末側無線通信手段によりチケット情報を受信すると、受信したチケット情報に基づいてチケットの検札が行われる。
【００１５】
ここで、チケット情報記憶手段は、チケット情報をあらゆる手段でかつあらゆる時期に記憶するものであり、チケット情報をあらかじめ記憶してあるものであってもよいし、チケット情報をあらかじめ記憶することなく、本システムの動作時に外部からの入力等によってチケット情報を記憶するようになっていてもよい。以下、発明２、９および１０のチケット検札システムにおいて同じである。
【００１６】
また、チケット情報記憶手段は、チケット代替端末に設けてもよいが、これに限らず、チケット代替端末およびチケット検札端末以外の他の端末に設けてもよい。後者の場合、例えば、データベースサーバやネットワークストレージとして構成することができる。以下、発明２のチケット検札システムにおいて同じである。
【００１７】
また、チケットの検札は、例えば、指定席等の予約を確認するのに必要な予約確認情報をあらかじめチケット検札端末に記憶しておき、予約確認情報とチケット情報とを照合してそれらが一致するか否かを判定することにより行うことができる。以下、発明２、９および１０のチケット検札システムにおいて同じである。
〔発明２〕
さらに、発明２のチケット検札システムは、
チケットの代替として利用されるチケット代替端末と、前記チケットの検札を行うチケット検札端末とを備え、前記チケットに関するチケット情報に基づいて前記チケットの検札を行うシステムであって、
前記チケット代替端末は、前記チケット情報を記憶するためのチケット情報記憶手段と、無線通信を行う代替端末側無線通信手段とを有し、前記代替端末側無線通信手段により前記チケット情報の提供要求を受信したときは、前記チケット情報記憶手段のチケット情報を前記代替端末側無線通信手段により送信するようになっており、
前記チケット検札端末は、無線通信を行う検札端末側無線通信手段を有し、前記検札端末側無線通信手段により前記提供要求を送信し、前記検札端末側無線通信手段により前記チケット情報を受信したときは、受信したチケット情報に基づいて前記チケットの検札を行うようになっていることを特徴とする。
【００１８】
このような構成であれば、チケットの検札を行う場合は、チケット検札端末において、検札端末側無線通信手段によりチケット情報の提供要求を送信する。
チケット代替端末では、代替端末側無線通信手段によりチケット情報の提供要求を受信すると、チケット情報記憶手段のチケット情報が代替端末側無線通信手段により送信される。
【００１９】
チケット検札端末では、検札端末側無線通信手段によりチケット情報を受信すると、受信したチケット情報に基づいてチケットの検札が行われる。
〔発明３〕
さらに、発明３のチケット検札システムは、発明２のチケット検札システムにおいて、
前記チケット情報記憶手段および前記代替端末側無線通信手段は、前記チケット情報を記憶可能でかつ当該チケット情報を非接触で読取可能な非接触型タグであり、
前記検札端末側無線通信手段は、前記非接触型タグから前記チケット情報を非接触で読み取るチケット情報読取手段であることを特徴とする。
【００２０】
このような構成であれば、チケットの検札を行う場合は、チケット検札端末をチケット代替端末に接近させる。
チケット検札端末をチケット代替端末に接近させると、チケット検札端末では、チケット情報読取手段により、チケット代替端末の非接触型タグからチケット情報が非接触で読み取られ、読み取られたチケット情報に基づいてチケットの検札が行われる。
〔発明４〕
さらに、発明４のチケット検札システムは、発明３のチケット検札システムにおいて、
前記チケット情報は、指定席券に関する指定席券情報であり、
前記チケット検札端末は、前記チケット情報読取手段で読み取った指定席券情報を表示するようになっていることを特徴とする。
【００２１】
このような構成であれば、チケット検札端末では、指定席券情報が読み取られると、読み取られたチケット情報が表示される。
〔発明５〕
さらに、発明５のチケット検札システムは、発明４のチケット検札システムにおいて、
前記チケット検札端末は、前記指定席の予約を確認するのに必要な予約確認情報を記憶するための予約確認情報記憶手段を有し、前記チケット情報読取手段で読み取った指定席券情報および前記予約確認情報記憶手段の予約確認情報に基づいて前記指定席の利用が正当であるかを判定するようになっていることを特徴とする。
【００２２】
このような構成であれば、チケット検札端末では、指定席券情報が読み取られると、読み取られた指定席券情報および予約確認情報記憶手段の予約確認情報に基づいて指定席の利用が正当であるかが判定される。
ここで、予約確認情報記憶手段は、予約確認情報をあらゆる手段でかつあらゆる時期に記憶するものであり、予約確認情報をあらかじめ記憶してあるものであってもよいし、予約確認情報をあらかじめ記憶することなく、本システムの動作時に外部からの入力等によって予約確認情報を記憶するようになっていてもよい。以下、発明８および１３のチケット検札システム、並びに発明１８の指定席券検札システムにおいて同じである。
〔発明６〕
さらに、発明６のチケット検札システムは、発明５のチケット検札システムにおいて、
さらに、前記指定席の予約を管理する予約管理端末を備え、
前記予約管理端末は、前記予約確認情報を記憶するための予約確認情報記憶手段を有し、前記予約確認情報の提供要求を受信したときは、前記予約確認情報記憶手段の予約確認情報を前記チケット検札端末に送信するようになっており、
前記チケット検札端末は、前記提供要求を前記予約管理端末に送信し、前記予約確認情報を受信したときは、受信した予約確認情報を前記予約確認情報記憶手段に記憶するようになっていることを特徴とする。
【００２３】
このような構成であれば、指定席券の検札を行う場合は、チケット検札端末において、まず、予約確認情報の提供要求を予約管理端末に送信する。
予約管理端末では、提供要求を受信すると、予約確認情報記憶手段の予約確認情報がチケット検札端末に送信される。
チケット検札端末では、予約確認情報を受信すると、受信した予約確認情報が予約確認情報記憶手段に記憶される。そして、指定席券情報が読み取られると、読み取られた指定席券情報および予約確認情報記憶手段の予約確認情報に基づいて指定席の利用が正当であるかが判定される。
〔発明７〕
さらに、発明７のチケット検札システムは、発明６のチケット検札システムにおいて、
さらに、前記指定席券を発行する指定席券発行装置を備え、
前記指定席券発行装置は、前記指定席券情報を前記非接触型タグに書き込む指定席券情報書込手段を有し、前記指定席券情報の提供要求を前記予約管理端末に送信し、前記指定席券情報を受信したときは、受信した指定席券情報を前記指定席券情報書込手段により前記非接触型タグに書き込むようになっており、
前記予約管理端末は、前記指定席券情報を生成する指定席券情報生成手段を有し、前記提供要求を受信したときは、前記指定席券情報生成手段で生成した指定席券情報を前記指定席券発行装置に送信するようになっていることを特徴とする。
【００２４】
このような構成であれば、指定席券を発行する場合は、チケット代替端末を指定席券発行装置に接近させる。
チケット代替端末を指定席券発行装置に接近させると、指定席券発行装置では、指定席券情報の提供要求が予約管理端末に送信される。
予約管理端末では、提供要求を受信すると、指定席券情報生成手段により、指定席券情報が生成され、生成された指定席券情報が指定席券発行装置に送信される。
【００２５】
指定席券発行装置では、指定席券情報を受信すると、受信した指定席券情報が指定席券情報書込手段により非接触型タグに書き込まれる。
〔発明８〕
さらに、発明８のチケット検札システムは、発明３のチケット検札システムにおいて、
前記チケット情報は、指定席券に関する指定席券情報であり、
さらに、前記指定席の予約を管理する予約管理端末を備え、
前記予約管理端末は、前記指定席の予約を確認するのに必要な予約確認情報を記憶するための予約確認情報記憶手段を有し、前記指定席券情報を受信したときは、受信した指定席券情報および前記予約確認情報記憶手段の予約確認情報に基づいて前記指定席の利用が正当であるかを判定し、その判定結果を示す確認通知を前記チケット検札端末に送信するようになっており、
前記チケット検札端末は、前記チケット情報読取手段で読み取った指定席券情報を前記予約管理端末に送信し、前記確認通知を受信したときは、その旨を表示するようになっていることを特徴とする。
【００２６】
このような構成であれば、チケット検札端末では、指定席券情報が読み取られると、読み取られた指定席券情報が予約管理端末に送信される。
予約管理端末では、指定席券情報を受信すると、受信した指定席券情報および予約確認情報記憶手段の予約確認情報に基づいて指定席の利用が正当であるかが判定され、その判定結果を示す確認通知がチケット検札端末に送信される。
【００２７】
チケット検札端末では、確認通知を受信すると、その旨が表示される。
〔発明９〕
さらに、発明９のチケット検札システムは、
チケットの代替として利用されるチケット代替端末と、前記チケット代替端末の所持者の利用に供するユーザ端末と、前記チケットの検札を行うチケット検札端末とを備え、前記チケットに関するチケット情報に基づいて前記チケットの検札を行うシステムであって、
前記チケット情報を記憶するためのチケット情報記憶手段を備え、
前記チケット代替端末は、無線通信を行う代替端末側無線通信手段を有し、前記ユーザ端末からの要求に応じて前記チケット情報記憶手段のチケット情報を前記代替端末側無線通信手段により送信するようになっており、
前記ユーザ端末は、無線通信を行うユーザ端末側無線通信手段を有し、前記チケット検札端末からの要求に応じて前記チケット情報を要求し、前記ユーザ端末側無線通信手段により前記チケット情報を受信したときは、受信したチケット情報を前記チケット検札端末に送信するようになっており、
前記チケット検札端末は、前記チケット情報を受信したときは、受信したチケット情報に基づいて前記チケットの検札を行うようになっていることを特徴とする。
【００２８】
このような構成であれば、チケットの検札を行う場合は、チケット検札端末において、チケット情報の提供要求をユーザ端末に対して行う。
ユーザ端末では、チケット検札端末からの要求に応じて、チケット情報が要求される。
チケット代替端末では、ユーザ端末からの要求に応じて、チケット情報記憶手段のチケット情報が代替端末側無線通信手段により送信される。
【００２９】
ユーザ端末では、ユーザ端末側無線通信手段によりチケット情報を受信すると、受信したチケット情報がチケット検札端末に送信される。
チケット検札端末では、チケット情報を受信すると、受信したチケット情報に基づいてチケットの検札が行われる。
ここで、チケット情報記憶手段は、チケット代替端末に設けてもよいが、これに限らず、チケット代替端末、ユーザ端末およびチケット検札端末以外の他の端末に設けてもよい。後者の場合、例えば、データベースサーバやネットワークストレージとして構成することができる。以下、発明１０のチケット検札システムにおいて同じである。
〔発明１０〕
さらに、発明１０のチケット検札システムは、
チケットの代替として利用されるチケット代替端末と、前記チケット代替端末の所持者の利用に供するユーザ端末と、前記チケットの検札を行うチケット検札端末とを備え、前記チケットに関するチケット情報に基づいて前記チケットの検札を行うシステムであって、
前記チケット代替端末は、前記チケット情報を記憶するためのチケット情報記憶手段と、無線通信を行う代替端末側無線通信手段とを有し、前記代替端末側無線通信手段により前記チケット情報の提供要求を受信したときは、前記チケット情報記憶手段のチケット情報を前記代替端末側無線通信手段により送信するようになっており、
前記ユーザ端末は、無線通信を行うユーザ端末側無線通信手段を有し、前記提供要求を受信したときは、前記ユーザ端末側無線通信手段により前記提供要求を送信し、前記ユーザ端末側無線通信手段により前記チケット情報を受信したときは、受信したチケット情報を前記チケット検札端末に送信するようになっており、
前記チケット検札端末は、前記提供要求を前記ユーザ端末に送信し、前記チケット情報を受信したときは、受信したチケット情報に基づいて前記チケットの検札を行うようになっていることを特徴とする。
【００３０】
このような構成であれば、チケットの検札を行う場合は、チケット検札端末において、チケット情報の提供要求をユーザ端末に送信する。
ユーザ端末では、提供要求を受信すると、ユーザ端末側無線通信手段により提供要求が送信される。
チケット代替端末では、代替端末側無線通信手段により提供要求を受信すると、チケット情報記憶手段のチケット情報が代替端末側無線通信手段により送信される。
【００３１】
ユーザ端末では、ユーザ端末側無線通信手段によりチケット情報を受信すると、受信したチケット情報がチケット検札端末に送信される。
チケット検札端末では、チケット情報を受信すると、受信したチケット情報に基づいてチケットの検札が行われる。
〔発明１１〕
さらに、発明１１のチケット検札システムは、発明１０のチケット検札システムにおいて、
前記チケット情報記憶手段および前記代替端末側無線通信手段は、前記チケット情報を記憶可能でかつ当該チケット情報を非接触で読取可能な非接触型タグであり、
前記ユーザ端末側無線通信手段は、前記非接触型タグから前記チケット情報を非接触で読み取るチケット情報読取手段であることを特徴とする。
【００３２】
このような構成であれば、チケット代替端末からチケット情報を取得する場合は、ユーザ端末をチケット代替端末に接近させる。
ユーザ端末をチケット代替端末に接近させると、ユーザ端末では、チケット情報読取手段により、チケット代替端末の非接触型タグからチケット情報が非接触で読み取られ、読み取られたチケット情報がチケット検札端末に送信される。
〔発明１２〕
さらに、発明１２のチケット検札システムは、発明１１のチケット検札システムにおいて、
前記チケット情報は、指定席券に関する指定席券情報であり、
前記チケット検札端末は、前記チケット情報を受信したときは、受信したチケット情報を表示するようになっていることを特徴とする。
【００３３】
このような構成であれば、チケット検札端末では、指定席券情報を受信すると、受信した指定席券情報が表示される。
〔発明１３〕
さらに、発明１３のチケット検札システムは、発明１２のチケット検札システムにおいて、
前記チケット検札端末は、前記指定席の予約を確認するのに必要な予約確認情報を記憶するための予約確認情報記憶手段を有し、前記受信した指定席券情報および前記予約確認情報記憶手段の予約確認情報に基づいて前記指定席の利用が正当であるかを判定するようになっていることを特徴とする。
【００３４】
このような構成であれば、チケット検札端末では、指定席券情報を受信すると、受信した指定席券情報および予約確認情報記憶手段の予約確認情報に基づいて指定席の利用が正当であるかが判定される。
〔発明１４〕
一方、上記目的を達成するために、発明１４の指定席券検札システムは、
列車の指定席券の代替として利用される指定席券代替端末と、前記列車の軌道に沿って設置された列車外装置と、前記指定席券の検札を行う指定席券検札端末とを備え、前記指定席券に関する指定席券情報に基づいて前記指定席券の検札を行うシステムであって、
前記指定席券情報を記憶するための指定席券情報記憶手段を備え、
前記指定席券代替端末は、無線通信を行う代替端末側無線通信手段を有し、前記列車外装置からの要求に応じて前記指定席券情報記憶手段の指定席券情報を前記代替端末側無線通信手段により送信するようになっており、
前記列車外装置は、無線通信を行う車外装置側無線通信手段を有し、前記車外装置側無線通信手段により前記指定席券情報を受信したときは、受信した指定席券情報を前記指定席券検札端末に送信するようになっており、
前記指定席券検札端末は、前記指定席券情報を受信したときは、受信した指定席券情報に基づいて前記指定席券の検札を行うようになっていることを特徴とする。
【００３５】
このような構成であれば、列車外装置では、指定席券情報の提供要求が行われるので、列車が列車外装置を通過すると、列車内の指定席券代替端末に対して提供要求が行われる。
指定席券代替端末では、列車外装置からの要求に応じて、指定席券情報記憶手段の指定席券情報が代替端末側無線通信手段により送信される。
【００３６】
列車外装置では、車外装置側無線通信手段により指定席券情報を受信すると、受信した指定席券情報が指定席券検札端末に送信される。
指定席券検札端末では、指定席券情報を受信すると、受信した指定席券情報に基づいて指定席券の検札が行われる。
ここで、指定席券情報記憶手段は、指定席券情報をあらゆる手段でかつあらゆる時期に記憶するものであり、指定席券情報をあらかじめ記憶してあるものであってもよいし、指定席券情報をあらかじめ記憶することなく、本システムの動作時に外部からの入力等によって指定席券情報を記憶するようになっていてもよい。以下、発明１５の指定席券検札システムにおいて同じである。
【００３７】
また、指定席券情報記憶手段は、指定席券代替端末に設けてもよいが、これに限らず、指定席券代替端末、列車外装置および指定席券検札端末以外の他の端末に設けてもよい。後者の場合、例えば、データベースサーバやネットワークストレージとして構成することができる。以下、発明１５の指定席券検札システムにおいて同じである。
【００３８】
また、指定席券の検札は、例えば、指定席の予約を確認するのに必要な予約確認情報をあらかじめ指定席券検札端末に記憶しておき、予約確認情報と指定席券情報とを照合してそれらが一致するか否かを判定することにより行うことができる。以下、発明１５の指定席券検札システムにおいて同じである。
〔発明１５〕
さらに、発明１５の指定席券検札システムは、
列車の指定席券の代替として利用される指定席券代替端末と、前記列車の軌道に沿って設置された列車外装置と、前記指定席券の検札を行う指定席券検札端末とを備え、前記指定席券に関する指定席券情報に基づいて前記指定席券の検札を行うシステムであって、
前記指定席券代替端末は、前記指定席券情報を記憶するための指定席券情報記憶手段と、無線通信を行う代替端末側無線通信手段とを有し、前記代替端末側無線通信手段により前記指定席券情報の提供要求を受信したときは、前記指定席券情報記憶手段の指定席券情報を前記代替端末側無線通信手段により送信するようになっており、
前記列車外装置は、無線通信を行う車外装置側無線通信手段を有し、前記車外装置側無線通信手段により前記提供要求を送信し、前記車外装置側無線通信手段により前記指定席券情報を受信したときは、受信した指定席券情報を前記指定席券検札端末に送信するようになっており、
前記指定席券検札端末は、前記指定席券情報を受信したときは、受信した指定席券情報に基づいて前記指定席券の検札を行うようになっていることを特徴とする。
【００３９】
このような構成であれば、列車外装置では、車外装置側無線通信手段により指定席券情報の提供要求が送信されるので、列車が列車外装置を通過すると、列車内の指定席券代替端末に提供要求が受信される。
指定席券代替端末では、代替端末側無線通信手段により提供要求を受信すると、指定席券情報記憶手段の指定席券情報が代替端末側無線通信手段により送信される。
【００４０】
列車外装置では、車外装置側無線通信手段により指定席券情報を受信すると、受信した指定席券情報が指定席券検札端末に送信される。
指定席券検札端末では、指定席券情報を受信すると、受信した指定席券情報に基づいて指定席券の検札が行われる。
〔発明１６〕
さらに、発明１６の指定席券検札システムは、発明１５の指定席券検札システムにおいて、
前記指定席券情報記憶手段および前記代替端末側無線通信手段は、前記指定席券情報を記憶可能でかつ当該指定席券情報を非接触で読取可能な非接触型タグであり、
前記車外装置側無線通信手段は、前記非接触型タグから前記指定席券情報を非接触で読み取る指定席券情報読取手段であることを特徴とする。
【００４１】
このような構成であれば、列車が列車外装置を通過すると、列車外装置では、指定席券情報読取手段により、指定席券代替端末の非接触型タグから指定席券情報が非接触で読み取られ、読み取られた指定席券情報が指定席券検札端末に送信される。
〔発明１７〕
さらに、発明１７の指定席券検札システムは、発明１６の指定席券検札システムにおいて、
前記指定席券検札端末は、前記指定席券情報を受信したときは、受信した指定席券情報を表示するようになっていることを特徴とする。
【００４２】
このような構成であれば、指定席券検札端末では、指定席券情報を受信すると、受信した指定席券情報が表示される。
〔発明１８〕
さらに、発明１８の指定席券検札システムは、発明１７の指定席券検札システムにおいて、
前記指定席券検札端末は、前記指定席の予約を確認するのに必要な予約確認情報を記憶するための予約確認情報記憶手段を有し、前記受信した指定席券情報および前記予約確認情報記憶手段の予約確認情報に基づいて前記指定席の利用が正当であるかを判定するようになっていることを特徴とする。
【００４３】
このような構成であれば、指定席券検札端末では、指定席券情報を受信すると、受信した指定席券情報および予約確認情報記憶手段の予約確認情報に基づいて指定席の利用が正当であるかが判定される。
〔発明１９〕
一方、上記目的を達成するために、発明１９のチケット代替端末は、
発明１のチケット検札システムに適用される端末であって、
無線通信を行う代替端末側無線通信手段を備え、
前記チケット検札端末からの要求に応じて前記チケット情報記憶手段のチケット情報を前記代替端末側無線通信手段により送信するようになっていることを特徴とする。
【００４４】
このような構成であれば、発明１のチケット検札システムにおけるチケット代替端末と同等の作用が得られる。
〔発明２０〕
さらに、発明２０のチケット代替端末は、
発明９のチケット検札システムに適用される端末であって、
無線通信を行う代替端末側無線通信手段を備え、
前記ユーザ端末からの要求に応じて前記チケット情報記憶手段のチケット情報を前記代替端末側無線通信手段により送信するようになっていることを特徴とする。
【００４５】
このような構成であれば、発明９のチケット検札システムにおけるチケット代替端末と同等の作用が得られる。
〔発明２１〕
一方、上記目的を達成するために、発明２１の指定席券代替端末は、
発明１４の指定席券検札システムに適用される端末であって、
無線通信を行う代替端末側無線通信手段を備え、
前記列車外装置からの要求に応じて前記指定席券情報記憶手段の指定席券情報を前記代替端末側無線通信手段により送信するようになっていることを特徴とする。
【００４６】
このような構成であれば、発明１４の指定席券検札システムにおける指定席券代替端末と同等の作用が得られる。
〔発明２２〕
一方、上記目的を達成するために、発明２２のチケット検札端末は、
発明１のチケット検札システムに適用される端末であって、
無線通信を行う検札端末側無線通信手段を備え、
前記検札端末側無線通信手段により前記チケット情報を受信したときは、受信したチケット情報に基づいて前記チケットの検札を行うようになっていることを特徴とする。
【００４７】
このような構成であれば、発明１のチケット検札システムにおけるチケット検札端末と同等の作用が得られる。
〔発明２３〕
さらに、発明２３のチケット検札端末は、
発明９のチケット検札システムに適用される端末であって、
前記チケット情報を受信したときは、受信したチケット情報に基づいて前記チケットの検札を行うようになっていることを特徴とする。
【００４８】
このような構成であれば、発明９のチケット検札システムにおけるチケット検札端末と同等の作用が得られる。
〔発明２４〕
一方、上記目的を達成するために、発明２４の指定席券検札端末は、
発明１４の指定席券検札システムに適用される端末であって、
前記指定席券情報を受信したときは、受信した指定席券情報に基づいて前記指定席券の検札を行うようになっていることを特徴とする。
【００４９】
このような構成であれば、発明１４の指定席券検札システムにおける指定席券検札端末と同等の作用が得られる。
〔発明２５〕
一方、上記目的を達成するために、発明２５のユーザ端末は、
発明９のチケット検札システムに適用される端末であって、
無線通信を行う側無線通信手段を備え、
前記チケット検札端末からの要求に応じて前記チケット情報を要求し、前記側無線通信手段により前記チケット情報を受信したときは、受信したチケット情報を前記チケット検札端末に送信するようになっていることを特徴とする。
【００５０】
このような構成であれば、発明９のチケット検札システムにおけるユーザ端末と同等の作用が得られる。
〔発明２６〕
一方、上記目的を達成するために、発明２６の列車外装置は、
発明１４の指定席券検札システムに適用される装置であって、
無線通信を行う車外装置側無線通信手段を備え、
前記車外装置側無線通信手段により前記指定席券情報を受信したときは、受信した指定席券情報を前記指定席券検札端末に送信するようになっていることを特徴とする。
【００５１】
このような構成であれば、発明１４の指定席券検札システムにおける列車外装置と同等の作用が得られる。
〔発明２７〕
一方、上記目的を達成するために、発明２７の端末用プログラムは、
コンピュータからなる発明１９のチケット代替端末に実行させるためのプログラムであって、
前記チケット検札端末からの要求に応じて前記チケット情報記憶手段のチケット情報を前記代替端末側無線通信手段により送信する処理を実行させるためのプログラムであることを特徴とする。
【００５２】
このような構成であれば、チケット代替端末によってプログラムが読み取られ、読み取られたプログラムに従ってチケット代替端末が処理を実行すると、発明１９のチケット代替端末と同等の作用が得られる。
〔発明２８〕
さらに、発明２８の端末用プログラムは、
コンピュータからなる発明２０のチケット代替端末に実行させるためのプログラムであって、
前記ユーザ端末からの要求に応じて前記チケット情報記憶手段のチケット情報を前記代替端末側無線通信手段により送信する処理を実行させるためのプログラムであることを特徴とする。
【００５３】
このような構成であれば、チケット代替端末によってプログラムが読み取られ、読み取られたプログラムに従ってチケット代替端末が処理を実行すると、発明２０のチケット代替端末と同等の作用が得られる。
〔発明２９〕
さらに、発明２９の端末用プログラムは、
コンピュータからなる発明２１の指定席券代替端末に実行させるためのプログラムであって、
前記列車外装置からの要求に応じて前記指定席券情報記憶手段の指定席券情報を前記代替端末側無線通信手段により送信する処理を実行させるためのプログラムであることを特徴とする。
【００５４】
このような構成であれば、指定席券代替端末によってプログラムが読み取られ、読み取られたプログラムに従って指定席券代替端末が処理を実行すると、発明２１の指定席券代替端末と同等の作用が得られる。
〔発明３０〕
さらに、発明３０の端末用プログラムは、
コンピュータからなる発明２２のチケット検札端末に実行させるためのプログラムであって、
前記検札端末側無線通信手段により前記チケット情報を受信したときは、受信したチケット情報に基づいて前記チケットの検札を行う処理を実行させるためのプログラムであることを特徴とする。
【００５５】
このような構成であれば、チケット検札端末によってプログラムが読み取られ、読み取られたプログラムに従ってチケット検札端末が処理を実行すると、発明２２のチケット検札端末と同等の作用が得られる。
〔発明３１〕
さらに、発明３１の端末用プログラムは、
コンピュータからなる発明２３のチケット検札端末に実行させるためのプログラムであって、
前記チケット情報を受信したときは、受信したチケット情報に基づいて前記チケットの検札を行う処理を実行させるためのプログラムであることを特徴とする。
【００５６】
このような構成であれば、チケット検札端末によってプログラムが読み取られ、読み取られたプログラムに従ってチケット検札端末が処理を実行すると、発明２３のチケット検札端末と同等の作用が得られる。
〔発明３２〕
さらに、発明３２の端末用プログラムは、
コンピュータからなる発明２４の指定席券検札端末に実行させるためのプログラムであって、
前記指定席券情報を受信したときは、受信した指定席券情報に基づいて前記指定席券の検札を行う処理を実行させるためのプログラムであることを特徴とする。
【００５７】
このような構成であれば、指定席券検札端末によってプログラムが読み取られ、読み取られたプログラムに従って指定席券検札端末が処理を実行すると、発明２４の指定席券検札端末と同等の作用が得られる。
〔発明３３〕
さらに、発明３３の端末用プログラムは、
コンピュータからなる発明２５のユーザ端末に実行させるためのプログラムであって、
前記チケット検札端末からの要求に応じて前記チケット情報を要求し、前記ユーザ端末側無線通信手段により前記チケット情報を受信したときは、受信したチケット情報を前記チケット検札端末に送信する処理を実行させるためのプログラムであることを特徴とする。
【００５８】
このような構成であれば、ユーザ端末によってプログラムが読み取られ、読み取られたプログラムに従ってユーザ端末が処理を実行すると、発明２５のユーザ端末と同等の作用が得られる。
〔発明３４〕
一方、上記目的を達成するために、発明３４の装置用プログラムは、
コンピュータからなる発明２６の列車外装置に実行させるためのプログラムであって、
前記車外装置側無線通信手段により前記指定席券情報を受信したときは、受信した指定席券情報を前記指定席券検札端末に送信する処理を実行させるためのプログラムであることを特徴とする。
【００５９】
このような構成であれば、列車外装置によってプログラムが読み取られ、読み取られたプログラムに従って列車外装置が処理を実行すると、発明２６の列車外装置と同等の作用が得られる。
〔発明３５〕
一方、上記目的を達成するために、発明３５のチケット検札方法は、
チケットの代替として利用されるチケット代替端末と、前記チケットの検札を行うチケット検札端末とを利用し、前記チケットに関するチケット情報に基づいて前記チケットの検札を行う方法であって、
前記チケット情報をチケット情報記憶手段に記憶するチケット情報記憶ステップを含み、
前記チケット検札端末に対しては、
前記チケット情報の提供要求を前記チケット代替端末に対して行う提供要求ステップを含み、
前記チケット代替端末に対しては、
前記チケット検札端末からの要求に応じて、前記チケット代替端末に設けられた代替端末側無線通信手段により、前記チケット情報記憶手段のチケット情報を送信するチケット情報送信ステップを含み、
前記チケット検札端末に対しては、
前記チケット検札端末に設けられた検札端末側無線通信手段により前記チケット情報を受信するチケット情報受信ステップと、前記チケット情報受信ステップで受信したチケット情報に基づいて前記チケットの検札を行うチケット検札ステップとを含むことを特徴とする。
〔発明３６〕
さらに、発明３６のチケット検札方法は、
チケットの代替として利用されるチケット代替端末と、前記チケット代替端末の所持者の利用に供するユーザ端末と、前記チケットの検札を行うチケット検札端末とを利用し、前記チケットに関するチケット情報に基づいて前記チケットの検札を行う方法であって、
前記チケット情報をチケット情報記憶手段に記憶するチケット情報記憶ステップを含み、
前記チケット検札端末に対しては、
前記チケット情報の提供要求を前記ユーザ端末に対して行う第１提供要求ステップを含み、
前記ユーザ端末に対しては、
前記チケット検札端末からの要求に応じて、前記チケット情報の提供要求を前記チケット代替端末に対して行う第２提供要求ステップを含み、
前記チケット代替端末に対しては、
前記ユーザ端末からの要求に応じて、前記チケット代替端末に設けられた代替端末側無線通信手段により、前記チケット情報記憶手段のチケット情報を送信する第１チケット情報送信ステップを含み、
前記ユーザ端末に対しては、
前記ユーザ端末に設けられたユーザ端末側無線通信手段により前記チケット情報を受信する第１チケット情報受信ステップと、前記第１チケット情報受信ステップで受信したチケット情報を前記チケット検札端末に送信する第２チケット情報送信ステップとを含み、
前記チケット検札端末に対しては、
前記チケット情報を受信する第２チケット情報受信ステップと、前記第２チケット情報受信ステップで受信したチケット情報に基づいて前記チケットの検札を行うチケット検札ステップとを含むことを特徴とする。
〔発明３７〕
一方、上記目的を達成するために、発明３７の指定席券検札方法は、
列車の指定席券の代替として利用される指定席券代替端末と、前記列車の軌道に沿って設置された列車外装置と、前記指定席券の検札を行う指定席券検札端末とを利用し、前記指定席券に関する指定席券情報に基づいて前記指定席券の検札を行う方法であって、
前記指定席券情報を指定席券情報記憶手段に記憶する指定席券情報記憶ステップを含み、
前記列車外装置に対しては、
前記指定席券情報の提供要求を前記指定席券代替端末に対して行う提供要求ステップを含み、
前記指定席券代替端末に対しては、
前記列車外装置からの要求に応じて、前記指定席券代替端末に設けられた代替端末側無線通信手段により、前記指定席券情報記憶手段の指定席券情報を送信する第１指定席券情報送信ステップを含み、
前記列車外装置に対しては、
前記列車外装置に設けられた車外装置側無線通信手段により前記指定席券情報を受信する第１指定席券情報受信ステップと、前記第１指定席券情報受信ステップで受信した指定席券情報を前記指定席券検札端末に送信する第２指定席券情報送信ステップとを含み、
前記指定席券検札端末に対しては、
前記指定席券情報を受信する第２指定席券情報受信ステップと、前記第２指定席券情報受信ステップで受信した指定席券情報に基づいて前記指定席券の検札を行う指定席券検札ステップとを含むことを特徴とする。
【００６０】
【発明の実施の形態】
以下、本発明の第１の実施の形態を図面を参照しながら説明する。図１ないし図５は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法の第１の実施の形態を示す図である。
【００６１】
本実施の形態は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法を、列車内において指定席券の検札を行う場合について適用したものである。
【００６２】
まず、本発明を適用する指定席券検札システムの構成を図１を参照しながら説明する。図１は、本発明を適用する指定席券検札システムの構成を示す機能ブロック図である。
本発明に係る指定席券検札システムは、図１に示すように、指定席券の代替として利用される指定席券カード１００と、指定席券の検札を行う指定席券検札端末２００とで構成されている。ここで、指定席券カード１００は、乗客が利用するものであり、指定席券検札端末２００は、車掌等の乗務員が利用するものである。
【００６３】
次に、指定席券カード１００の構成を詳細に説明する。
指定席券カード１００には、図１に示すように、ＲＦＩＤ（Ｒａｄｉｏ　Ｆｒｅｑｕｅｎｃｙ　ＩＤｅｎｔｉｆｉｃａｔｉｏｎ）非接触型ＩＣタグ１０２が埋め込まれている。ＲＦＩＤ非接触型ＩＣタグ１０２は、指定席に関する指定席券情報をタグ情報として記憶した内蔵メモリを有し、内蔵メモリの指定席券情報を非接触で読取可能となっている。なお、内蔵メモリからの読取は、外部からの電波を電源として用い無線で送信することにより行う。
【００６４】
次に、指定席券情報のデータ構造を図２を参照しながら詳細に説明する。図２は、指定席券情報のデータ構造を示す図である。
指定席券情報８００は、図２に示すように、各指定席ごとに１つのレコードを有するデータベースとして構成されている。各レコードは、列車名を登録したフィールド８０２と、列車を編成する車両を特定するための号車番号を登録したフィールド８０４と、車両内の指定席のうち列を特定するための列番号を登録したフィールド８０６と、車両内の指定席のうち行を特定するための番地を登録したフィールド８０８とを含んで構成されている。
【００６５】
図２の例では、第１段目のレコードには、列車名として「あずさ２号」が、号車番号として「３」が、列番号として「６」が、番地として「Ａ」がそれぞれ登録されている。これは、「あずさ２号」という列車の３号車内の指定席であって６番目の列でかつＡ番地の指定席を示している。
また、指定席券カード１００は、図３のフローチャートに示す指定席券情報送信処理を実行するようになっている。図３は、指定席券情報送信処理を示すフローチャートである。
【００６６】
指定席券情報処理は、指定席券検札端末２００からの要求に応じて内蔵メモリの指定席券情報を送信する処理であって、指定席券カード１００において実行されると、図３に示すように、まず、ステップＳ１００に移行するようになっている。
ステップＳ１００では、指定席券確認信号を無線により受信したか否かを判定し、指定席券確認信号を受信したと判定したとき（Ｙｅｓ）は、ステップＳ１０２に移行するが、そうでないと判定したとき（Ｎｏ）は、指定席券確認信号を受信するまでステップＳ１００で待機する。
【００６７】
ステップＳ１０２では、指定席券応答信号を無線により送信し、ステップＳ１０４に移行して、内蔵メモリの指定席券情報を無線により送信し、一連の処理を終了して元の処理に復帰させる。
次に、指定席券検札端末２００の構成を詳細に説明する。
指定席券検札端末２００は、図１に示すように、ＲＦＩＤ非接触型ＩＣタグ１０２から指定席券情報を非接触で読み取るタグ情報読取部２０２と、指定席の予約を確認するのに必要な予約確認情報を記憶した予約確認情報記憶部２０４と、表示部２０６と、指定席券の検札に関する処理を行う検札処理部２０８とで構成されている。
【００６８】
次に、予約確認情報のデータ構造を図４を参照しながら詳細に説明する。図４は、予約確認情報のデータ構造を示す図である。
予約確認情報８２０は、図４に示すように、各指定席ごとに１つのレコードを有するデータベースとして構成されている。各レコードは、指定席券カード１００に固有に割り当てられたＲＦＩＤ番号を登録したフィールド８２２と、列車名を登録したフィールド８２４と、列車を編成する車両を特定するための号車番号を登録したフィールド８２６と、車両内の指定席のうち列を特定するための列番号を登録したフィールド８２８と、車両内の指定席のうち行を特定するための番地を登録したフィールド８３０とを含んで構成されている。
【００６９】
図４の例では、第１段目のレコードには、ＲＦＩＤ番号として「１２３」が、列車名として「あずさ２号」が、号車番号として「３」が、列番号として「６」が、番地として「Ａ」がそれぞれ登録されている。これは、「あずさ２号」という列車の３号車内の指定席であって６番目の列でかつＡ番地の指定席が、ＲＦＩＤ番号「１２３」により特定される指定席券カード１００を所有している乗客によって予約されていることを示している。
【００７０】
また、検札処理部２０８は、ＣＰＵ、ＲＯＭ、ＲＡＭおよびＩ／Ｆ等をバス接続した一般的なコンピュータと同一機能を有して構成されており、ＲＯＭの所定領域に格納されている所定のプログラムを起動させ、そのプログラムに従って、図５のフローチャートに示す指定席券検札処理を実行するようになっている。図５は、指定席券検札処理を示すフローチャートである。
【００７１】
指定席券検札処理は、指定席券カード１００から指定席券情報を読み取り、読み取った指定席券情報に基づいて指定席券の検札を行う処理であって、検札処理部２０８で実行されると、図５に示すように、まず、ステップＳ２００に移行するようになっている。
ステップＳ２００では、指定席券確認信号をタグ情報読取部２０２により送信し、ステップＳ２０２に移行して、指定席券応答信号をタグ情報読取部２０２により受信したか否かを判定し、指定席券応答信号を受信したと判定したとき（Ｙｅｓ）は、ステップＳ２０４に移行するが、そうでないと判定したとき（Ｎｏ）は、指定席券応答信号を受信するまでステップＳ２０２で待機する。
【００７２】
ステップＳ２０４では、指定席券情報をタグ情報読取部２０２により受信し、ステップＳ２０６に移行して、受信した指定席券情報を予約確認情報記憶部２０４の予約確認情報と照合して一致するものが存在するか否かを判定し、ステップＳ２０８に移行する。
ステップＳ２０８では、ステップＳ２０６の判定結果に基づいて指定席の利用が正当であるか否かを判定し、指定席の利用が正当であると判定したとき（Ｙｅｓ）は、ステップＳ２１０に移行して、受信した指定席券情報を表示部２０６に表示し、一連の処理を終了して元の処理に復帰させる。
【００７３】
一方、ステップＳ２０８で、指定席の利用が正当でないと判定したとき（Ｎｏ）は、ステップＳ２１２に移行して、不正利用の旨を表示部２０６に表示し、一連の処理を終了して元の処理に復帰させる。
次に、本実施の形態の動作を説明する。
指定席の検札を行う場合は、乗務員は、所持している指定席券検札端末２００を乗客の指定席券カード１００に接近させる。なお、指定席券カード１００には、指定席券情報が書き込まれているものとする。指定席券情報の書込は、例えば、乗客が指定席券を購入したときに指定席券発行装置により行うことができる。
【００７４】
指定席券検札端末２００を指定席券カード１００に接近させると、指定席券検札端末２００では、ステップＳ２００を経て、指定席券確認信号がタグ情報読取部２０２により送信される。
指定席券カード１００では、指定席券確認信号を無線により受信すると、ステップＳ１０２，Ｓ１０４を経て、指定席券応答信号および内蔵メモリの指定席券情報が無線により送信される。
【００７５】
指定席券検札端末２００では、指定席券応答信号をタグ情報読取部２０２により受信すると、ステップＳ２０４，Ｓ２０６を経て、指定席券情報をタグ情報読取部２０２により受信し、受信した指定席券情報が予約確認情報記憶部２０４の予約確認情報と照合されて一致するものが存在するか否かが判定される。そして、その判定結果に基づいて指定席の利用が正当であると判定されると、ステップＳ２１０を経て、受信した指定席券情報が表示部２０６に表示される。
【００７６】
一方、ステップＳ２０６の判定結果に基づいて指定席の利用が正当でないと判定されると、ステップＳ２１２を経て、不正利用の旨が表示部２０６に表示される。
このようにして、本実施の形態では、指定席券カード１００は、指定席券確認信号を無線により受信したときは、ＲＦＩＤ非接触型ＩＣタグ１０２の指定席券情報を無線により送信するようになっており、指定席券検札端末２００は、タグ情報読取部２０２により指定席券確認信号を送信し、タグ情報読取部２０２により指定席券情報を受信したときは、受信した指定席券情報に基づいて指定席券の検札を行うようになっている。
【００７７】
これにより、指定席券の検札を行うには、指定席券検札端末２００において、指定席券カード１００から無線により指定席券情報を取得するだけでよいので、指定席券の検札を比較的容易に行うことができる。また、各座席等ごとに特殊な機器や装置を設置する必要がないので、従来に比して、製造および設置にかかるコストを低減することができる。
【００７８】
さらに、本実施の形態では、ＲＦＩＤ非接触型ＩＣタグ１０２は、指定席券情報を記憶可能でかつその指定席券情報を非接触で読取可能なものであり、タグ情報読取部２０２は、ＲＦＩＤ非接触型ＩＣタグ１０２から指定席券情報を非接触で読み取るようになっている。
これにより、指定席券の検札を行うには、指定席券検札端末２００を指定席券カード１００に接近させるだけでよいので、指定席券の検札をさらに容易に行うことができる。また、指定席券情報の読取にＲＦＩＤ非接触型ＩＣタグ１０２を用いているので、比較的低コストで実現することができる。
【００７９】
さらに、本実施の形態では、指定席券検札端末２００は、タグ情報読取部２０２で読み取った指定席券情報を表示部２０６に表示するようになっている。
これにより、指定席券検札端末２００では、指定席券情報が表示されるので、指定席の利用が正当であるかを確認しやすい。したがって、指定席券の検札をさらに容易に行うことができる。
【００８０】
さらに、本実施の形態では、指定席券検札端末２００は、タグ情報読取部２０２で読み取った指定席券情報および予約確認情報記憶部２０４の予約確認情報に基づいて指定席の利用が正当であるかを判定するようになっている。
これにより、指定席券検札端末２００では、指定席の利用が正当であるかが判定されるので、指定席の利用が正当であるかを確認しやすい。したがって、指定席券の検札をさらに容易に行うことができる。
【００８１】
上記第１の実施の形態において、指定席券は、発明１、２、２２、３０または３５のチケットに対応し、指定席券情報は、発明１ないし４、１９、２２、２７、３０または３５のチケット情報に対応し、指定席券情報確認信号は、発明２または３５の提供要求に対応している。また、指定席券カード１００は、発明１、２、１９、２７または３５のチケット代替端末に対応し、ＲＦＩＤ非接触型ＩＣタグ１０２は、発明１ないし３、１９、２７若しくは３５のチケット情報記憶手段、または発明１ないし３、１９、２７若しくは３５の代替端末側無線通信手段に対応している。
【００８２】
また、上記第１の実施の形態において、ステップＳ１０４は、発明３５のチケット情報送信ステップに対応し、指定席券検札端末２００は、発明１、２、４、５、１９、２２、２７、３０または３５のチケット検札端末に対応し、タグ情報読取部２０２は、発明１ないし３、２２、３０若しくは３５の検札端末側無線通信手段、または発明３ないし５のチケット情報読取手段に対応している。また、予約確認情報記憶部２０４は、発明５の予約確認情報記憶手段に対応し、ステップＳ２００は、発明３５の提供要求ステップに対応し、ステップＳ２０４は、発明３５のチケット情報受信ステップに対応し、ステップＳ２０６〜Ｓ２１２は、発明３５のチケット検札ステップに対応している。
【００８３】
次に、本発明の第２の実施の形態を図面を参照しながら説明する。図６ないし図８は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法の第２の実施の形態を示す図である。なお、以下、上記第１の実施の形態と異なる部分についてのみ説明し、上記第１の実施の形態と重複する部分については同一の符号を付して説明を省略する。
【００８４】
本実施の形態は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法を、列車内において指定席券の検札を行う場合について適用したものであり、上記第１の実施の形態と異なるのは、指定席券検札端末２００が予約管理端末３００から予約確認情報を取得する点にある。
【００８５】
まず、本発明を適用する指定席券検札システムの構成を図６を参照しながら説明する。図６は、本発明を適用する指定席券検札システムの構成を示す機能ブロック図である。
本発明に係る指定席券検札システムは、図６に示すように、指定席券カード１００と、指定席券検札端末２００と、指定席の予約を管理する予約管理端末３００とで構成されている。
【００８６】
次に、指定席券検札端末２００の構成を詳細に説明する。
指定席券検札端末２００は、図６に示すように、タグ情報読取部２０２と、予約確認情報記憶部２０４と、表示部２０６と、検札処理部２０８と、予約管理端末３００と無線通信を行う無線通信部２１０とで構成されている。
検札処理部２０８は、ＲＯＭの所定領域に格納されている所定のプログラムを起動させ、そのプログラムに従って、図５のフローチャートに示す指定席券検札処理のほか、図７のフローチャートに示す予約確認情報取得処理を実行するようになっている。図７は、予約確認情報取得処理を示すフローチャートである。
【００８７】
予約確認情報取得処理は、指定席券の検札を行うに先立って予約管理端末３００から予約確認情報を取得する処理であって、検札処理部２０８で実行されると、図７に示すように、まず、ステップＳ２２０に移行するようになっている。
ステップＳ２２０では、予約確認情報の提供要求を無線通信部２１０により予約管理端末３００に送信し、ステップＳ２２２に移行して、予約確認情報を受信したか否かを判定し、予約確認情報を受信したと判定したとき（Ｙｅｓ）は、ステップＳ２２４に移行して、受信した予約確認情報を予約確認情報記憶部２０４に格納し、一連の処理を終了して元の処理に復帰させる。
【００８８】
一方、ステップＳ２２２で、予約確認情報を受信しないと判定したとき（Ｎｏ）は、予約確認情報を受信するまでステップＳ２２２で待機する。
次に、予約管理端末３００の構成を詳細に説明する。
予約管理端末３００は、図６に示すように、指定席券検札端末２００と無線通信を行う無線通信部３０２と、予約確認情報を記憶した予約確認情報記憶部３０４と、指定席の予約管理に関する処理を行う予約管理部３０６とで構成されている。
【００８９】
予約管理部３０６は、ＣＰＵ、ＲＯＭ、ＲＡＭおよびＩ／Ｆ等をバス接続した一般的なコンピュータと同一機能を有して構成されており、ＲＯＭの所定領域に格納されている所定のプログラムを起動させ、そのプログラムに従って、図８のフローチャートに示す予約管理処理を実行するようになっている。図８は、予約管理処理を示すフローチャートである。
【００９０】
予約管理処理は、指定席券検札端末２００からの要求に応じて予約確認情報記憶部３０４の予約管理情報を提供する処理であって、予約管理部３０６において実行されると、図８に示すように、まず、ステップＳ３００に移行するようになっている。
ステップＳ３００では、予約確認情報の提供要求を受信したか否かを判定し、提供要求を受信したと判定したとき（Ｙｅｓ）は、ステップＳ３０２に移行するが、そうでないと判定したとき（Ｎｏ）は、提供要求を受信するまでステップＳ３００で待機する。
【００９１】
ステップＳ３０２では、提供要求のあった指定席券検札端末２００に必要な予約確認情報を予約確認情報記憶部３０４から読み出し、ステップＳ３０４に移行して、読み出した予約確認情報を指定席券検札端末２００に送信し、一連の処理を終了して元の処理に復帰させる。
次に、本実施の形態の動作を説明する。
【００９２】
指定席の検札を行う場合は、指定席の検札を行うに先立って、乗務員は、まず、指定席券検札端末２００において予約確認情報の提供を要求する。
指定席券検札端末２００では、予約確認情報の提供が要求されると、ステップＳ２２０を経て、予約確認情報の提供要求が無線通信部２１０により予約管理端末３００に送信される。
【００９３】
予約管理端末３００では、提供要求を受信すると、ステップＳ３０２，Ｓ３０４を経て、提供要求のあった指定席券検札端末２００に必要な予約確認情報が予約確認情報記憶部３０４から読み出され、読み出された予約確認情報が指定席券検札端末２００に送信される。
指定席券検札端末２００では、予約確認情報を受信すると、ステップＳ２２４を経て、受信した予約確認情報が予約確認情報記憶部２０４に記憶される。
【００９４】
このように予約確認情報が記憶された状態において、乗務員は、次に、所持している指定席券検札端末２００を乗客の指定席券カード１００に接近させる。
指定席券検札端末２００を指定席券カード１００に接近させると、指定席券検札端末２００では、ステップＳ２００を経て、指定席券確認信号がタグ情報読取部２０２により送信される。
【００９５】
指定席券カード１００では、指定席券確認信号を無線により受信すると、ステップＳ１０２，Ｓ１０４を経て、指定席券応答信号および内蔵メモリの指定席券情報が無線により送信される。
指定席券検札端末２００では、指定席券応答信号をタグ情報読取部２０２により受信すると、ステップＳ２０４，Ｓ２０６を経て、指定席券情報をタグ情報読取部２０２により受信し、受信した指定席券情報が予約確認情報記憶部２０４の予約確認情報と照合されて一致するものが存在するか否かが判定される。そして、その判定結果に基づいて指定席の利用が正当であると判定されると、ステップＳ２１０を経て、受信した指定席券情報が表示部２０６に表示される。
【００９６】
一方、ステップＳ２０６の判定結果に基づいて指定席の利用が正当でないと判定されると、ステップＳ２１２を経て、不正利用の旨が表示部２０６に表示される。
上記第２の実施の形態において、指定席券は、発明１、２、２２、３０または３５のチケットに対応し、指定席券情報は、発明１ないし４、１９、２２、２７、３０または３５のチケット情報に対応し、指定席券情報確認信号は、発明２、６または３５の提供要求に対応している。また、指定席券カード１００は、発明１、２、１９、２７または３５のチケット代替端末に対応し、ＲＦＩＤ非接触型ＩＣタグ１０２は、発明１ないし３、１９、２７若しくは３５のチケット情報記憶手段、または発明１ないし３、１９、２７若しくは３５の代替端末側無線通信手段に対応している。
【００９７】
また、上記第２の実施の形態において、ステップＳ１０４は、発明３５のチケット情報送信ステップに対応し、指定席券検札端末２００は、発明１、２、４ないし６、１９、２２、２７、３０または３５のチケット検札端末に対応し、タグ情報読取部２０２は、発明１ないし３、２２、３０若しくは３５の検札端末側無線通信手段、または発明３ないし５のチケット情報読取手段に対応している。また、予約確認情報記憶部２０４，３０４は、発明５または６の予約確認情報記憶手段に対応し、ステップＳ２００は、発明３５の提供要求ステップに対応し、ステップＳ２０４は、発明３５のチケット情報受信ステップに対応し、ステップＳ２０６〜Ｓ２１２は、発明３５のチケット検札ステップに対応している。
【００９８】
次に、本発明の第３の実施の形態を図面を参照しながら説明する。図９ないし図１１は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法の第３の実施の形態を示す図である。なお、以下、上記第２の実施の形態と異なる部分についてのみ説明し、上記第２の実施の形態と重複する部分については同一の符号を付して説明を省略する。
【００９９】
本実施の形態は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法を、列車内において指定席券の検札を行う場合について適用したものであり、上記第２の実施の形態と異なるのは、指定席券発行装置４００により指定席券情報を指定席券カード１００に書き込むことにより指定席券を発行する点にある。
【０１００】
まず、本発明を適用する指定席券検札システムの構成を図９を参照しながら説明する。図９は、本発明を適用する指定席券検札システムの構成を示す機能ブロック図である。
本発明に係る指定席券検札システムは、図９に示すように、指定席券カード１００と、指定席券検札端末２００と、予約管理端末３００と、指定席券を発行する指定席券発行装置４００とで構成されている。
【０１０１】
次に、予約管理端末３００の構成を詳細に説明する。
予約管理端末３００は、図９に示すように、無線通信部３０２と、予約確認情報記憶部３０４と、予約管理部３０６と、指定席券発行装置４００とネットワークを介して通信を行うネットワーク通信部３０８とで構成されている。
予約管理部３０６は、ＲＯＭの所定領域に格納されている所定のプログラムを起動させ、そのプログラムに従って、図８のフローチャートに示す予約管理処理のほか、図１０のフローチャートに示す指定席券情報提供処理を実行するようになっている。図１０は、指定席券情報提供処理を示すフローチャートである。
【０１０２】
指定席券情報提供処理は、指定席券発行装置４００からの要求に応じて指定席券情報を提供する処理であって、予約管理部３０６において実行されると、図１０に示すように、まず、ステップＳ３２０に移行するようになっている。
ステップＳ３２０では、指定席券情報の提供要求をネットワーク通信部３０８から受信したか否かを判定し、提供要求を受信したと判定したとき（Ｙｅｓ）は、ステップＳ３２２に移行するが、そうでないと判定したとき（Ｎｏ）は、提供要求を受信するまでステップＳ３２０で待機する。
【０１０３】
ステップＳ３２２では、指定席券情報を生成し、ステップＳ３２４に移行して、生成した指定席券情報に対応する予約確認情報を生成し、ステップＳ３２６に移行して、生成した予約確認情報を予約確認情報記憶部３０４に格納し、ステップＳ３２８に移行して、生成した指定席券情報を指定席券発行装置４００に送信し、一連の処理を終了して元の処理に復帰させる。
【０１０４】
次に、指定席券発行装置４００の構成を詳細に説明する。
指定席券発行装置４００は、図９に示すように、予約管理端末３００とネットワークを介して通信を行うネットワーク通信部４０２と、ＲＦＩＤ非接触型ＩＣタグ１０２に指定席券情報を書き込むタグ情報書込部４０４と、指定席券の発行に関する処理を行う発券処理部４０６とで構成されている。
【０１０５】
発券処理部４０６は、ＣＰＵ、ＲＯＭ、ＲＡＭおよびＩ／Ｆ等をバス接続した一般的なコンピュータと同一機能を有して構成されており、ＲＯＭの所定領域に格納されている所定のプログラムを起動させ、そのプログラムに従って、図１１のフローチャートに示す発券処理を実行するようになっている。図１１は、発券処理を示すフローチャートである。
【０１０６】
発券処理は、指定席券カード１００に指定席券情報を書き込むことにより指定席券を発行する処理であって、発券処理部４０６において実行されると、図１１に示すように、まず、ステップＳ４００に移行するようになっている。
ステップＳ４００では、指定席券の購入が要求されたか否かを判定し、指定席券の購入が要求されたと判定したとき（Ｙｅｓ）は、ステップＳ４０２に移行するが、そうでないと判定したとき（Ｎｏ）は、指定席券の購入が要求されるまでステップＳ４００で待機する。
【０１０７】
ステップＳ４０２では、指定席券カード１００が図示しないカードライタ等に挿入されたか否かを判定し、指定席券カード１００がカードライタ等に挿入されたと判定したとき（Ｙｅｓ）は、ステップＳ４０４に移行するが、そうでないと判定したとき（Ｎｏ）は、指定席券カード１００がカードライタ等に挿入されるまでステップＳ４０２で待機する。
【０１０８】
ステップＳ４０４では、指定席券情報の提供要求を予約管理端末３００に送信し、ステップＳ４０６に移行して、指定席券情報を受信したか否かを判定し、指定席券情報を受信したと判定したとき（Ｙｅｓ）は、ステップＳ４０８に移行して、受信した指定席券情報をタグ情報書込部４０４によりＲＦＩＤ非接触型ＩＣタグ１０２に書き込み、一連の処理を終了して元の処理に復帰させる。
【０１０９】
一方、ステップＳ４０６で、指定席券情報を受信しないと判定したとき（Ｎｏ）は、指定席券情報を受信するまでステップＳ４０６で待機する。
次に、本実施の形態の動作を説明する。
指定席券を購入する場合は、乗客は、指定席券の購入を要求するとともに、所持している指定席券カード１００を指定席券発行装置４００のカードリーダ等に挿入する。指定席券の購入要求では、例えば、乗車を希望する列車およびその指定席に関する諸情報を入力する。
【０１１０】
指定席券発行装置４００では、指定席券の購入要求とともに指定席券カード１００が挿入されると、ステップＳ４０４を経て、指定席券情報の提供要求が予約管理端末３００に送信される。
予約管理端末３００では、提供要求を受信すると、ステップＳ３２２，Ｓ３２４を経て、指定席券情報が生成され、生成された指定席券情報に対応する予約確認情報が生成される。そして、ステップＳ３２６，Ｓ３２８を経て、生成された予約確認情報が予約確認情報記憶部３０４に格納され、生成された指定席券情報が指定席券発行装置４００に送信される。
【０１１１】
指定席券発行装置４００では、指定席券情報を受信すると、ステップＳ４０８を経て、受信した指定席券情報がタグ情報書込部４０４によりＲＦＩＤ非接触型ＩＣタグ１０２に書き込まれる。
一方、指定席の検札を行う場合は、乗務員は、所持している指定席券検札端末２００を乗客の指定席券カード１００に接近させる。
【０１１２】
指定席券検札端末２００を指定席券カード１００に接近させると、指定席券検札端末２００では、ステップＳ２００を経て、指定席券確認信号がタグ情報読取部２０２により送信される。
指定席券カード１００では、指定席券確認信号を無線により受信すると、ステップＳ１０２，Ｓ１０４を経て、指定席券応答信号および内蔵メモリの指定席券情報が無線により送信される。
【０１１３】
指定席券検札端末２００では、指定席券応答信号をタグ情報読取部２０２により受信すると、ステップＳ２０４，Ｓ２０６を経て、指定席券情報をタグ情報読取部２０２により受信し、受信した指定席券情報が予約確認情報記憶部２０４の予約確認情報と照合されて一致するものが存在するか否かが判定される。そして、その判定結果に基づいて指定席の利用が正当であると判定されると、ステップＳ２１０を経て、受信した指定席券情報が表示部２０６に表示される。
【０１１４】
一方、ステップＳ２０６の判定結果に基づいて指定席の利用が正当でないと判定されると、ステップＳ２１２を経て、不正利用の旨が表示部２０６に表示される。
このようにして、本実施の形態では、指定席券発行装置４００は、指定席券情報の提供要求を予約管理端末３００に送信し、指定席券情報を受信したときは、受信した指定席券情報をタグ情報書込部４０４によりＲＦＩＤ非接触型ＩＣタグ１０２に書き込むようになっており、予約管理端末３００は、提供要求を受信したときは、指定席券情報を生成し、生成した指定席券情報を指定席券発行装置４００に送信するようになっている。
【０１１５】
これにより、指定席券を入手するには、指定席券カード１００を指定席券発行装置４００に接近させるだけでよいので、指定席券の入手が比較的容易になる。上記第３の実施の形態において、指定席券は、発明１、２、２２、３０または３５のチケットに対応し、指定席券情報は、発明１ないし４、１９、２２、２７、３０または３５のチケット情報に対応し、指定席券情報確認信号は、発明２、６、７または３５の提供要求に対応している。また、指定席券カード１００は、発明１、２、１９、２７または３５のチケット代替端末に対応し、ＲＦＩＤ非接触型ＩＣタグ１０２は、発明１ないし３、１９、２７若しくは３５のチケット情報記憶手段、または発明１ないし３、１９、２７若しくは３５の代替端末側無線通信手段に対応している。
【０１１６】
また、上記第３の実施の形態において、ステップＳ１０４は、発明３５のチケット情報送信ステップに対応し、指定席券検札端末２００は、発明１、２、４ないし６、１９、２２、２７、３０または３５のチケット検札端末に対応し、タグ情報読取部２０２は、発明１ないし３、２２、３０若しくは３５の検札端末側無線通信手段、または発明３ないし５のチケット情報読取手段に対応している。また、予約確認情報記憶部２０４，３０４は、発明５または６の予約確認情報記憶手段に対応し、ステップＳ２００は、発明３５の提供要求ステップに対応し、ステップＳ２０４は、発明３５のチケット情報受信ステップに対応し、ステップＳ２０６〜Ｓ２１２は、発明３５のチケット検札ステップに対応している。
【０１１７】
また、上記第３の実施の形態において、ステップＳ３２２は、発明７の指定席券情報生成手段に対応し、タグ情報書込部４０４は、発明７の指定席券情報書込手段に対応している。
次に、本発明の第４の実施の形態を図面を参照しながら説明する。図６、図１２および図１３は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法の第４の実施の形態を示す図である。なお、以下、上記第２の実施の形態と異なる部分についてのみ説明し、上記第２の実施の形態と重複する部分については同一の符号を付して説明を省略する。
【０１１８】
本実施の形態は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法を、列車内において指定席券の検札を行う場合について適用したものであり、上記第２の実施の形態と異なるのは、指定席券の利用が正当であるかの判定を予約管理端末３００で行う点にある。
【０１１９】
検札処理部２０８は、ＲＯＭの所定領域に格納されている所定のプログラムを起動させ、そのプログラムに従って、図５および図７のフローチャートに示す指定席券検札処理および予約確認情報取得処理に代えて、図１２のフローチャートに示す指定席券検札処理を実行するようになっている。図１２は、指定席券検札処理を示すフローチャートである。
【０１２０】
指定席券検札処理は、指定席券カード１００から指定席券情報を読み取り、読み取った指定席券情報を予約管理端末３００に送信して指定席券の検札を依頼する処理であって、検札処理部２０８で実行されると、図１２に示すように、まず、ステップＳ２４０に移行するようになっている。
ステップＳ２４０では、指定席券確認信号をタグ情報読取部２０２により送信し、ステップＳ２４２に移行して、指定席券応答信号をタグ情報読取部２０２により受信したか否かを判定し、指定席券応答信号を受信したと判定したとき（Ｙｅｓ）は、ステップＳ２４４に移行するが、そうでないと判定したとき（Ｎｏ）は、指定席券応答信号を受信するまでステップＳ２４２で待機する。
【０１２１】
ステップＳ２４４では、指定席券情報をタグ情報読取部２０２により受信し、ステップＳ２４６に移行して、受信した指定席券情報を無線通信部２１０により予約管理端末３００に送信し、ステップＳ２４８に移行する。
ステップＳ２４８では、指定席券の利用が正当であるかの判定結果を示す確認通知を受信したか否かを判定し、確認通知を受信したと判定したとき（Ｙｅｓ）は、ステップＳ２５０に移行するが、そうでないと判定したとき（Ｎｏ）は、確認通知を受信するまでステップＳ２４８で待機する。
【０１２２】
ステップＳ２５０では、受信した確認通知が、指定席の利用が正当である旨の判定結果を示すものであるか否かを判定し、指定席の利用が正当である旨の判定結果を示すものであると判定したとき（Ｙｅｓ）は、ステップＳ２５２に移行して、受信した指定席券情報を表示部２０６に表示し、一連の処理を終了して元の処理に復帰させる。
【０１２３】
一方、ステップＳ２４８で、受信した確認通知が、指定席の利用が正当でない旨の判定結果を示すものであると判定したとき（Ｎｏ）は、ステップＳ２５４に移行して、不正利用の旨を表示部２０６に表示し、一連の処理を終了して元の処理に復帰させる。
予約管理部３０６は、ＲＯＭの所定領域に格納されている所定のプログラムを起動させ、そのプログラムに従って、図８のフローチャートに示す予約管理処理に代えて、図１３のフローチャートに示す予約管理処理を実行するようになっている。図１３は、予約管理処理を示すフローチャートである。
【０１２４】
予約管理処理は、指定席券検札端末２００からの要求に応じて指定席券の利用が正当であるか否かを判定する処理であって、予約管理部３０６において実行されると、図１３に示すように、まず、ステップＳ３４０に移行するようになっている。
ステップＳ３４０では、指定席券情報を受信したか否かを判定し、指定席券情報を受信したと判定したとき（Ｙｅｓ）は、ステップＳ３４２に移行するが、そうでないと判定したとき（Ｎｏ）は、指定席券情報を受信するまでステップＳ３４０で待機する。
【０１２５】
ステップＳ３４２では、受信した指定席券情報を予約確認情報記憶部３０４の予約確認情報と照合して一致するものが存在するか否かを判定し、ステップＳ３４４に移行して、ステップＳ３４２の判定結果を示す確認通知を指定席券検札端末２００に送信し、一連の処理を終了して元の処理に復帰させる。
次に、本実施の形態の動作を説明する。
【０１２６】
指定席の検札を行う場合は、乗務員は、所持している指定席券検札端末２００を乗客の指定席券カード１００に接近させる。
指定席券検札端末２００を指定席券カード１００に接近させると、指定席券検札端末２００では、ステップＳ２４０を経て、指定席券確認信号がタグ情報読取部２０２により送信される。
【０１２７】
指定席券カード１００では、指定席券確認信号を無線により受信すると、ステップＳ１０２，Ｓ１０４を経て、指定席券応答信号および内蔵メモリの指定席券情報が無線により送信される。
指定席券検札端末２００では、指定席券応答信号をタグ情報読取部２０２により受信すると、ステップＳ２４４，Ｓ２４６を経て、指定席券情報をタグ情報読取部２０２により受信し、受信した指定席券情報が無線通信部２１０により予約管理端末３００に送信される。
【０１２８】
予約管理端末３００では、指定席券情報を受信すると、ステップＳ３４２，Ｓ３４４を経て、受信した指定席券情報が予約確認情報記憶部２０４の予約確認情報と照合されて一致するものが存在するか否かが判定され、その判定結果を示す確認通知が指定席券検札端末２００に送信される。
指定席券検札端末２００では、確認通知を受信すると、ステップＳ２５０を経て、受信した確認通知が指定席の利用が正当である旨の判定結果を示すものであるか否かが判定される。その結果、確認通知が、指定席の利用が正当である旨の判定結果を示すものであると判定されると、ステップＳ２５２を経て、受信した指定席券情報が表示部２０６に表示される。
【０１２９】
一方、確認通知が、指定席の利用が正当でない旨の判定結果を示すものであると判定されると、ステップＳ２５４を経て、不正利用の旨が表示部２０６に表示される。
このようにして、本実施の形態では、予約管理端末３００は、指定席券情報を受信したときは、受信した指定席券情報および予約確認情報記憶部３０４の予約確認情報に基づいて指定席の利用が正当であるかを判定し、その判定結果を示す確認通知を指定席券検札端末２００に送信するようになっており、指定席券検札端末２００は、タグ情報読取部２０２で読み取った指定席券情報を予約管理端末３００に送信し、確認通知を受信したときは、表示部２０６にその旨を表示するようになっている。
【０１３０】
これにより、指定席券検札端末２００では、指定席の利用が正当であるかの判定結果が表示されるので、指定席の利用が正当であるかを確認しやすい。したがって、指定席券の検札をさらに容易に行うことができる。
上記第４の実施の形態において、指定席券は、発明１、２、２２、３０または３５のチケットに対応し、指定席券情報は、発明１ないし３、８、１９、２２、２７、３０または３５のチケット情報に対応し、指定席券情報確認信号は、発明２または３５の提供要求に対応している。また、指定席券カード１００は、発明１、２、１９、２７または３５のチケット代替端末に対応し、ＲＦＩＤ非接触型ＩＣタグ１０２は、発明１ないし３、１９、２７若しくは３５のチケット情報記憶手段、または発明１ないし３、１９、２７若しくは３５の代替端末側無線通信手段に対応している。
【０１３１】
また、上記第４の実施の形態において、ステップＳ１０４は、発明３５のチケット情報送信ステップに対応し、指定席券検札端末２００は、発明１、２、８、１９、２２、２７、３０または３５のチケット検札端末に対応し、タグ情報読取部２０２は、発明１ないし３、２２、３０若しくは３５の検札端末側無線通信手段、または発明３若しくは８のチケット情報読取手段に対応している。また、予約確認情報記憶部３０４は、発明８の予約確認情報記憶手段に対応し、ステップＳ２４０は、発明３５の提供要求ステップに対応し、ステップＳ２４４は、発明３５のチケット情報受信ステップに対応し、ステップＳ２４６〜Ｓ２５４は、発明３５のチケット検札ステップに対応している。
【０１３２】
次に、本発明の第５の実施の形態を図面を参照しながら説明する。図１４ないし図１７は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法の第５の実施の形態を示す図である。なお、以下、上記第１の実施の形態と異なる部分についてのみ説明し、上記第１の実施の形態と重複する部分については同一の符号を付して説明を省略する。
【０１３３】
本実施の形態は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法を、列車内において指定席券の検札を行う場合について適用したものであり、上記第１の実施の形態と異なるのは、指定席券カード１００と指定席券検札端末２００との間でユーザ端末５００を介して指定席券情報を送受信する点にある。
【０１３４】
まず、本発明を適用する指定席券検札システムの構成を図１４を参照しながら説明する。図１４は、本発明を適用する指定席券検札システムの構成を示す機能ブロック図である。
本発明に係る指定席券検札システムは、図１４に示すように、指定席券カード１００と、指定席券検札端末２００と、指定席券カード１００の所持者である乗客の利用に供するユーザ端末５００とで構成されている。
【０１３５】
指定席券カード１００は、図３のフローチャートに示す指定席券情報送信処理に代えて、図１５のフローチャートに示す指定席券情報送信処理を実行するようになっている。図１５は、指定席券情報送信処理を示すフローチャートである。指定席券情報処理は、ユーザ端末５００からの要求に応じて内蔵メモリの指定席券情報を送信する処理であって、指定席券カード１００において実行されると、図１５に示すように、まず、ステップＳ１２０に移行するようになっている。
【０１３６】
ステップＳ１２０では、指定席券確認信号を無線により受信したか否かを判定し、指定席券確認信号を受信したと判定したとき（Ｙｅｓ）は、ステップＳ１２２に移行するが、そうでないと判定したとき（Ｎｏ）は、指定席券確認信号を受信するまでステップＳ１２０で待機する。
ステップＳ１２２では、指定席券応答信号を無線により送信し、ステップＳ１２４に移行して、内蔵メモリの指定席券情報を無線により送信し、一連の処理を終了して元の処理に復帰させる。
【０１３７】
次に、指定席券検札端末２００の構成を詳細に説明する。
指定席券検札端末２００は、図１４に示すように、予約確認情報記憶部２０４と、表示部２０６と、検札処理部２０８と、ユーザ端末５００と無線通信を行う無線通信部２１２とで構成されている。
検札処理部２０８は、ＲＯＭの所定領域に格納されている所定のプログラムを起動させ、そのプログラムに従って、図５のフローチャートに示す指定席券検札処理に代えて、図１６のフローチャートに示す指定席券検札処理を実行するようになっている。図１６は、指定席券検札処理を示すフローチャートである。
【０１３８】
指定席券検札処理は、ユーザ端末５００から指定席券情報を受信し、受信した指定席券情報に基づいて指定席券の検札を行う処理であって、検札処理部２０８で実行されると、図１６に示すように、まず、ステップＳ２６０に移行するようになっている。
ステップＳ２６０では、指定席券確認信号をユーザ端末５００に送信し、ステップＳ２６２に移行して、指定席券応答信号を受信したか否かを判定し、指定席券応答信号を受信したと判定したとき（Ｙｅｓ）は、ステップＳ２６４に移行するが、そうでないと判定したとき（Ｎｏ）は、指定席券応答信号を受信するまでステップＳ２６２で待機する。
【０１３９】
ステップＳ２６４では、指定席券情報を受信し、ステップＳ２６６に移行して、受信した指定席券情報を予約確認情報記憶部２０４の予約確認情報と照合して一致するものが存在するか否かを判定し、ステップＳ２６８に移行する。
ステップＳ２６８では、ステップＳ２６６の判定結果に基づいて指定席の利用が正当であるか否かを判定し、指定席の利用が正当であると判定したとき（Ｙｅｓ）は、ステップＳ２７０に移行して、受信した指定席券情報を表示部２０６に表示し、一連の処理を終了して元の処理に復帰させる。
【０１４０】
一方、ステップＳ２６８で、指定席の利用が正当でないと判定したとき（Ｎｏ）は、ステップＳ２７２に移行して、不正利用の旨を表示部２０６に表示し、一連の処理を終了して元の処理に復帰させる。
次に、ユーザ端末５００の構成を詳細に説明する。
ユーザ端末５００は、図１４に示すように、ＲＦＩＤ非接触型ＩＣタグ１０２から指定席券情報を非接触で読み取るタグ情報読取部５０２と、指定席券検札端末２００と無線通信を行う無線通信部５０４と、タグ情報の処理を行うタグ情報処理部５０６とで構成されている。
【０１４１】
タグ情報処理部５０６は、ＣＰＵ、ＲＯＭ、ＲＡＭおよびＩ／Ｆ等をバス接続した一般的なコンピュータと同一機能を有して構成されており、ＲＯＭの所定領域に格納されている所定のプログラムを起動させ、そのプログラムに従って、図１７のフローチャートに示す指定席券情報読取処理を実行するようになっている。図１７は、指定席券情報読取処理を示すフローチャートである。
【０１４２】
指定席券情報読取処理は、指定席券カード１００から指定席券情報を読み取る処理であって、タグ情報処理部５０６において実行されると、図１７に示すように、まず、ステップＳ５００に移行するようになっている。
ステップＳ５００では、指定席券確認信号を無線通信部５０４により受信したか否かを判定し、指定席券確認信号を受信したと判定したとき（Ｙｅｓ）は、ステップＳ５０２に移行するが、そうでないと判定したとき（Ｎｏ）は、指定席券確認信号を受信するまでステップＳ５００で待機する。
【０１４３】
ステップＳ５０２では、指定席券確認信号をタグ情報読取部５０２により送信し、ステップＳ５０４に移行して、指定席券応答信号をタグ情報読取部５０２により受信したか否かを判定し、指定席券応答信号を受信したと判定したとき（Ｙｅｓ）は、ステップＳ５０６に移行するが、そうでないと判定したとき（Ｎｏ）は、指定席券応答信号を受信するまでステップＳ５０４で待機する。
【０１４４】
ステップＳ５０６では、指定席券情報をタグ情報読取部５０２により受信し、ステップＳ５０８に移行して、受信した指定席券情報を無線通信部５０４により指定席券検札端末２００に送信し、一連の処理を終了して元の処理に復帰させる。
次に、本実施の形態の動作を説明する。
【０１４５】
指定席の検札を行う場合は、乗務員は、指定席券検札端末２００において指定席券情報の提供を要求する。
指定席券検札端末２００では、指定席券情報の提供が要求されると、ステップＳ２６０を経て、指定席券確認信号がユーザ端末５００に送信される。
ユーザ端末５００では、無線通信部５０４により指定席券確認信号を受信すると、ステップＳ５０２を経て、タグ情報読取部５０２により指定席券確認信号が送信される。
【０１４６】
指定席券カード１００では、指定席券確認信号を無線により受信すると、ステップＳ１２２，Ｓ１２４を経て、指定席券応答信号および内蔵メモリの指定席券情報が無線により送信される。
ユーザ端末５００では、指定席券応答信号をタグ情報読取部５０２により受信すると、ステップＳ５０６〜Ｓ５１０を経て、指定席券情報をタグ情報読取部５０２により受信し、指定席券応答信号および受信した指定席券情報が無線通信部５０４により指定席券検札端末２００に送信される。
【０１４７】
指定席券検札端末２００では、指定席券応答信号を受信すると、ステップＳ２６４，Ｓ２６６を経て、指定席券情報を受信し、受信した指定席券情報が予約確認情報記憶部２０４の予約確認情報と照合されて一致するものが存在するか否かが判定される。そして、その判定結果に基づいて指定席の利用が正当であると判定されると、ステップＳ２７２を経て、受信した指定席券情報が表示部２０６に表示される。
【０１４８】
一方、ステップＳ２６６の判定結果に基づいて指定席の利用が正当でないと判定されると、ステップＳ２７２を経て、不正利用の旨が表示部２０６に表示される。
このようにして、本実施の形態では、指定席券カード１００は、指定席券確認信号を無線により受信したときは、ＲＦＩＤ非接触型ＩＣタグ１０２の指定席券情報を無線により送信するようになっており、ユーザ端末５００は、指定席券確認信号を受信したときは、タグ情報読取部５０２により指定席券確認信号を送信し、タグ情報読取部５０２により指定席券情報を受信したときは、受信した指定席券情報を指定席券検札端末２００に送信するようになっており、指定席券検札端末２００は、指定席券確認信号をユーザ端末５００に送信し、指定席券情報を受信したときは、受信した指定席券情報に基づいて指定席券の検札を行うようになっている。
【０１４９】
これにより、指定席券の検札を行うには、指定席券検札端末２００において、ユーザ端末５００を介して指定席券カード１００から無線により指定席券情報を取得するだけでよいので、指定席券の検札を比較的容易に行うことができる。また、各座席等ごとに特殊な機器や装置を設置する必要がないので、従来に比して、製造および設置にかかるコストを低減することができる。
【０１５０】
さらに、本実施の形態では、ＲＦＩＤ非接触型ＩＣタグ１０２は、指定席券情報を記憶可能でかつその指定席券情報を非接触で読取可能なものであり、タグ情報読取部５０２は、ＲＦＩＤ非接触型ＩＣタグ１０２から指定席券情報を非接触で読み取るようになっている。
これにより、指定席券情報を取得するには、ユーザ端末５００を指定席券カード１００に接近させるだけでよいので、指定席券情報の取得を比較的容易に行うことができる。また、指定席券情報の読取に非接触型タグを用いているので、比較的低コストで実現することができる。
【０１５１】
上記第５の実施の形態において、指定席券は、発明９、１０、２３、３１または３６のチケットに対応し、指定席券情報は、発明９ないし１２、２０、２３、２５、２８、３１、３３または３６のチケット情報に対応し、指定席券情報確認信号は、発明１０または３６の提供要求に対応している。また、指定席券カード１００は、発明９、１０、２０、２８または３６のチケット代替端末に対応し、ＲＦＩＤ非接触型ＩＣタグ１０２は、発明９ないし１１、２０、２８若しくは３６のチケット情報記憶手段、または発明９ないし１１、２０、２８若しくは３６の代替端末側無線通信手段に対応している。
【０１５２】
また、上記第５の実施の形態において、ステップＳ１２４は、発明３６の第１チケット情報送信ステップに対応し、指定席券検札端末２００は、発明９、１０、１２、１３、２３、２５、３１、３３または３６のチケット検札端末に対応し、予約確認情報記憶部２０４は、発明１３の予約確認情報記憶手段に対応している。また、ステップＳ２６０は、発明３６の第１提供要求ステップに対応し、ステップＳ２６４は、発明３６の第２チケット情報受信ステップに対応し、ステップＳ２６６〜Ｓ２７２は、発明３６のチケット検札ステップに対応し、タグ情報読取部５０２は、発明９ないし１１、２５、３３若しくは３６のユーザ端末側無線通信手段、または発明１１のチケット情報読取手段に対応している。
【０１５３】
また、上記第５の実施の形態において、ステップＳ５０２は、発明３６の第２提供要求ステップに対応し、ステップＳ５０６は、発明３６の第１チケット情報受信ステップに対応し、ステップＳ５１０は、発明３６の第２チケット情報送信ステップに対応している。
次に、本発明の第６の実施の形態を図面を参照しながら説明する。図１８ないし図２１は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法の第６の実施の形態を示す図である。なお、以下、上記第１の実施の形態と異なる部分についてのみ説明し、上記第１の実施の形態と重複する部分については同一の符号を付して説明を省略する。
【０１５４】
本実施の形態は、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法を、列車内において指定席券の検札を行う場合について適用したものであり、上記第１の実施の形態と異なるのは、列車の軌道に沿って列車外装置６００を設置し、列車外装置６００により指定席券カード１００から指定席券情報を読み取る点にある。
【０１５５】
まず、本発明を適用する指定席券検札システムの構成を図１８を参照しながら説明する。図１８は、本発明を適用する指定席券検札システムの構成を示す機能ブロック図である。
本発明に係る指定席券検札システムは、図１８に示すように、指定席券カード１００と、指定席券検札端末２００と、列車の軌道に沿って設置された列車外装置６００とで構成されている。
【０１５６】
指定席券カード１００は、図３のフローチャートに示す指定席券情報送信処理に代えて、図１９のフローチャートに示す指定席券情報送信処理を実行するようになっている。図１９は、指定席券情報送信処理を示すフローチャートである。
指定席券情報処理は、列車外装置６００からの要求に応じて内蔵メモリの指定席券情報を送信する処理であって、指定席券カード１００において実行されると、図１９に示すように、まず、ステップＳ１４０に移行するようになっている。
【０１５７】
ステップＳ１４０では、指定席券確認信号を無線により受信したか否かを判定し、指定席券確認信号を受信したと判定したとき（Ｙｅｓ）は、ステップＳ１４２に移行するが、そうでないと判定したとき（Ｎｏ）は、指定席券確認信号を受信するまでステップＳ１４０で待機する。
ステップＳ１４２では、指定席券応答信号を無線により送信し、ステップＳ１４４に移行して、内蔵メモリの指定席券情報を無線により送信し、一連の処理を終了して元の処理に復帰させる。
【０１５８】
次に、指定席券検札端末２００の構成を詳細に説明する。
指定席券検札端末２００は、図１８に示すように、予約確認情報記憶部２０４と、表示部２０６と、検札処理部２０８と、列車外装置６００と無線通信を行う無線通信部２１４とで構成されている。
検札処理部２０８は、ＲＯＭの所定領域に格納されている所定のプログラムを起動させ、そのプログラムに従って、図５のフローチャートに示す指定席券検札処理に代えて、図２０のフローチャートに示す指定席券検札処理を実行するようになっている。図２０は、指定席券検札処理を示すフローチャートである。
【０１５９】
指定席券検札処理は、列車外装置６００から指定席券情報を受信し、受信した指定席券情報に基づいて指定席券の検札を行う処理であって、検札処理部２０８で実行されると、図２０に示すように、まず、ステップＳ２８０に移行するようになっている。
ステップＳ２８０では、指定席券情報を受信したか否かを判定し、指定席券情報を受信したと判定したとき（Ｙｅｓ）は、ステップＳ２８２に移行するが、そうでないと判定したとき（Ｎｏ）は、指定席券情報を受信するまでステップＳ２８０で待機する。
【０１６０】
ステップＳ２８２では、受信した指定席券情報を予約確認情報記憶部２０４の予約確認情報と照合して一致するものが存在するか否かを判定し、ステップＳ２８４に移行して、ステップＳ２８２の判定結果に基づいて指定席の利用が正当であるか否かを判定し、指定席の利用が正当であると判定したとき（Ｙｅｓ）は、ステップＳ２８６に移行して、受信した指定席券情報を表示部２０６に表示し、一連の処理を終了して元の処理に復帰させる。
【０１６１】
一方、ステップＳ２８４で、指定席の利用が正当でないと判定したとき（Ｎｏ）は、ステップＳ２８８に移行して、不正利用の旨を表示部２０６に表示し、一連の処理を終了して元の処理に復帰させる。
次に、列車外装置６００の構成を詳細に説明する。
列車外装置６００は、例えば、列車の軌道を跨いでアーチ状に形成したものであり、図１８に示すように、ＲＦＩＤ非接触型ＩＣタグ１０２から指定席券情報を非接触で読み取るタグ情報読取部６０２と、指定席券検札端末２００と無線通信を行う無線通信部６０４と、タグ情報の処理を行うタグ情報処理部６０６とで構成されている。
【０１６２】
タグ情報処理部６０６は、ＣＰＵ、ＲＯＭ、ＲＡＭおよびＩ／Ｆ等をバス接続した一般的なコンピュータと同一機能を有して構成されており、ＲＯＭの所定領域に格納されている所定のプログラムを起動させ、そのプログラムに従って、図２１のフローチャートに示す指定席券情報読取処理を実行するようになっている。図２１は、指定席券情報読取処理を示すフローチャートである。
【０１６３】
指定席券情報読取処理は、指定席券カード１００から指定席券情報を読み取る処理であって、タグ情報処理部６０６において実行されると、図２１に示すように、まず、ステップＳ６００に移行するようになっている。
ステップＳ６００では、指定席券確認信号をタグ情報読取部６０２により送信し、ステップＳ６０２に移行して、指定席券応答信号をタグ情報読取部６０２により受信したか否かを判定し、指定席券応答信号を受信したと判定したとき（Ｙｅｓ）は、ステップＳ６０４に移行するが、そうでないと判定したとき（Ｎｏ）は、指定席券応答信号を受信するまでステップＳ６０２で待機する。
【０１６４】
ステップＳ６０４では、指定席券情報をタグ情報読取部６０２により受信し、ステップＳ６０６に移行して、受信した指定席券情報を無線通信部６０４により指定席券検札端末２００に送信し、一連の処理を終了して元の処理に復帰させる。
次に、本実施の形態の動作を説明する。
【０１６５】
列車外装置６００では、ステップＳ６００を経て、タグ情報読取部６０２により指定席券確認信号が送信されるので、列車が列車外装置６００を通過すると、列車内の指定席券カード１００に指定席券確認信号が受信される。
指定席券カード１００では、指定席券確認信号を無線により受信すると、ステップＳ１４２，Ｓ１４４を経て、指定席券応答信号および内蔵メモリの指定席券情報が無線により送信される。
【０１６６】
列車外装置６００では、指定席券応答信号をタグ情報読取部６０２により受信すると、ステップＳ６０４，Ｓ６０６を経て、指定席券情報をタグ情報読取部６０２により受信し、受信した指定席券情報が無線通信部６０４により指定席券検札端末２００に送信される。
指定席券検札端末２００では、指定席券情報を受信すると、ステップＳ２８２を経て、受信した指定席券情報が予約確認情報記憶部２０４の予約確認情報と照合されて一致するものが存在するか否かが判定される。そして、その判定結果に基づいて指定席の利用が正当であると判定されると、ステップＳ２８６を経て、受信した指定席券情報が表示部２０６に表示される。
【０１６７】
一方、ステップＳ２８２の判定結果に基づいて指定席の利用が正当でないと判定されると、ステップＳ２８８を経て、不正利用の旨が表示部２０６に表示される。
このようにして、本実施の形態では、指定席券カード１００は、指定席券確認信号を無線により受信したときは、ＲＦＩＤ非接触型ＩＣタグ１０２の指定席券情報を無線により送信するようになっており、列車外装置６００は、タグ情報読取部６０２により指定席券確認信号を送信し、タグ情報読取部６０２により指定席券情報を受信したときは、受信した指定席券情報を指定席券検札端末２００に送信するようになっており、指定席券検札端末２００は、指定席券情報を受信したときは、受信した指定席券情報に基づいて指定席券の検札を行うようになっている。
【０１６８】
これにより、列車が列車外装置６００を通過するだけで指定席券の検札を行うことができるので、指定席券の検札を比較的容易に行うことができる。また、各座席等ごとに特殊な機器や装置を設置する必要がないので、従来に比して、製造および設置にかかるコストを低減することができる。
さらに、本実施の形態では、ＲＦＩＤ非接触型ＩＣタグ１０２は、指定席券情報を記憶可能でかつその指定席券情報を非接触で読取可能なものであり、タグ情報読取部６０２は、非接触型タグから指定席券情報を非接触で読み取るようになっている。
【０１６９】
これにより、指定席券情報の読取にＲＦＩＤ非接触型ＩＣタグ１０２を用いているので、比較的低コストで実現することができる。
上記第６の実施の形態において、指定席券情報確認信号は、発明１５または３７の提供要求に対応し、指定席券カード１００は、発明１４、１５、２１、２９または３７の指定席券代替端末に対応し、ＲＦＩＤ非接触型ＩＣタグ１０２は、発明１４ないし１６、２１、２９若しくは３７の指定席券情報記憶手段、または発明１４ないし１６、２１、２９若しくは３７の代替端末側無線通信手段に対応している。また、ステップＳ１４４は、発明３７の第１指定席券情報送信ステップに対応し、予約確認情報記憶部２０４は、発明１８の予約確認情報記憶手段に対応し、ステップＳ２８０は、発明３７の第２指定席券情報受信ステップに対応している。
【０１７０】
また、上記第６の実施の形態において、ステップＳ２８２〜Ｓ２８８は、発明３７の指定席券検札ステップに対応し、タグ情報読取部６０２は、発明１４ないし１６、２６、３４若しくは３７の車外装置側無線通信手段、または発明１６の指定席券情報読取手段に対応している。また、ステップＳ６００は、発明３７の提供要求ステップに対応し、ステップＳ６０４は、発明３７の第１指定席券情報受信ステップに対応し、ステップＳ６０６は、発明３７の第２指定席券情報送信ステップに対応している。
【０１７１】
なお、上記第１の実施の形態においては、図５のフローチャートに示す処理を実行するにあたっては、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
【０１７２】
また、上記第２の実施の形態においては、図７および図８のフローチャートに示す処理を実行するにあたってはいずれも、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
【０１７３】
また、上記第３の実施の形態においては、図１０および図１１のフローチャートに示す処理を実行するにあたってはいずれも、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
【０１７４】
また、上記第４の実施の形態においては、図１２および図１３のフローチャートに示す処理を実行するにあたってはいずれも、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
【０１７５】
また、上記第５の実施の形態においては、図１６および図１７のフローチャートに示す処理を実行するにあたってはいずれも、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
【０１７６】
また、上記第６の実施の形態においては、図２０および図２１のフローチャートに示す処理を実行するにあたってはいずれも、ＲＯＭにあらかじめ格納されている制御プログラムを実行する場合について説明したが、これに限らず、これらの手順を示したプログラムが記憶された記憶媒体から、そのプログラムをＲＡＭに読み込んで実行するようにしてもよい。
【０１７７】
ここで、記憶媒体とは、ＲＡＭ、ＲＯＭ等の半導体記憶媒体、ＦＤ、ＨＤ等の磁気記憶型記憶媒体、ＣＤ、ＣＤＶ、ＬＤ、ＤＶＤ等の光学的読取方式記憶媒体、ＭＯ等の磁気記憶型／光学的読取方式記憶媒体であって、電子的、磁気的、光学的等の読み取り方法のいかんにかかわらず、コンピュータで読み取り可能な記憶媒体であれば、あらゆる記憶媒体を含むものである。
【０１７８】
また、上記第１ないし第６の実施の形態においては、本発明に係るチケット検札システム、指定席券検札システム、チケット代替端末、指定席券代替端末、チケット検札端末、指定席券検札端末、ユーザ端末、列車外装置、端末用プログラムおよび装置用プログラム、並びにチケット検札方法および指定席券検札方法を、列車内において指定席券の検札を行う場合について適用したが、これに限らず、本発明の主旨を逸脱しない範囲で他の場合にも適用可能である。
【０１７９】
【発明の効果】
以上説明したように、本発明に係る請求項１ないし８記載のチケット検札システムによれば、チケットの検札を行うには、チケット検札端末において、チケット代替端末から無線によりチケット情報を取得するだけでよいので、チケットの検札を比較的容易に行うことができるという効果が得られる。また、各座席等ごとに特殊な機器や装置を設置する必要がないので、従来に比して、製造および設置にかかるコストを低減することができるという効果も得られる。
【０１８０】
さらに、本発明に係る請求項３ないし８記載のチケット検札システムによれば、チケットの検札を行うには、チケット検札端末をチケット代替端末に接近させるだけでよいので、チケットの検札をさらに容易に行うことができるという効果も得られる。また、チケット情報の読取に非接触型タグを用いているので、比較的低コストで実現することができるという効果も得られる。
【０１８１】
さらに、本発明に係る請求項４ないし７記載のチケット検札システムによれば、チケット検札端末では、指定席券情報が表示されるので、指定席の利用が正当であるかを確認しやすい。したがって、指定席券の検札をさらに容易に行うことができるという効果も得られる。
さらに、本発明に係る請求項５ないし７記載のチケット検札システムによれば、チケット検札端末では、指定席の利用が正当であるかが判定されるので、指定席の利用が正当であるかを確認しやすい。したがって、指定席券の検札をさらに容易に行うことができるという効果も得られる。
【０１８２】
さらに、本発明に係る請求項７記載のチケット検札システムによれば、指定席券を入手するには、チケット代替端末を指定席券発行装置に接近させるだけでよいので、指定席券の入手が比較的容易になるという効果も得られる。
さらに、本発明に係る請求項８記載のチケット検札システムによれば、チケット検札端末では、指定席の利用が正当であるかの判定結果が表示されるので、指定席の利用が正当であるかを確認しやすい。したがって、指定席券の検札をさらに容易に行うことができるという効果も得られる。
【０１８３】
さらに、本発明に係る請求項９ないし１３記載のチケット検札システムによれば、チケットの検札を行うには、チケット検札端末において、ユーザ端末を介してチケット代替端末から無線によりチケット情報を取得するだけでよいので、チケットの検札を比較的容易に行うことができるという効果が得られる。また、各座席等ごとに特殊な機器や装置を設置する必要がないので、従来に比して、製造および設置にかかるコストを低減することができるという効果も得られる。
【０１８４】
さらに、本発明に係る請求項１１ないし１３記載のチケット検札システムによれば、チケット情報を取得するには、ユーザ端末をチケット代替端末に接近させるだけでよいので、チケット情報の取得を比較的容易に行うことができるという効果も得られる。また、チケット情報の読取に非接触型タグを用いているので、比較的低コストで実現することができるという効果も得られる。
【０１８５】
さらに、本発明に係る請求項１２または１３記載のチケット検札システムによれば、チケット検札端末では、指定席券情報が表示されるので、指定席の利用が正当であるかを確認しやすい。したがって、指定席券の検札をさらに容易に行うことができるという効果も得られる。
さらに、本発明に係る請求項１３記載のチケット検札システムによれば、チケット検札端末では、指定席の利用が正当であるかが判定されるので、指定席の利用が正当であるかを確認しやすい。したがって、指定席券の検札をさらに容易に行うことができるという効果も得られる。
【０１８６】
一方、本発明に係る請求項１４ないし１８記載の指定席券検札システムによれば、列車が列車外装置を通過するだけで指定席券の検札を行うことができるので、指定席券の検札を比較的容易に行うことができるという効果が得られる。また、各座席等ごとに特殊な機器や装置を設置する必要がないので、従来に比して、製造および設置にかかるコストを低減することができるという効果も得られる。
【０１８７】
さらに、本発明に係る請求項１６ないし１８記載の指定席券検札システムによれば、指定席券情報の読取に非接触型タグを用いているので、比較的低コストで実現することができるという効果も得られる。
さらに、本発明に係る請求項１７または１８記載の指定席券検札システムによれば、指定席券検札端末では、指定席券情報が表示されるので、指定席の利用が正当であるかを確認しやすい。したがって、指定席券の検札をさらに容易に行うことができるという効果も得られる。
【０１８８】
さらに、本発明に係る請求項１８記載の指定席券検札システムによれば、指定席券検札端末では、指定席の利用が正当であるかが判定されるので、指定席の利用が正当であるかを確認しやすい。したがって、指定席券の検札をさらに容易に行うことができるという効果も得られる。
一方、本発明に係る請求項１９記載のチケット代替端末によれば、請求項１記載のチケット検札システムと同等の効果が得られる。
【０１８９】
さらに、本発明に係る請求項２０記載のチケット代替端末によれば、請求項９記載のチケット検札システムと同等の効果が得られる。
一方、本発明に係る請求項２１記載の指定席券代替端末によれば、請求項１４記載の指定席券検札システムと同等の効果が得られる。
一方、本発明に係る請求項２２記載のチケット検札端末によれば、請求項１記載のチケット検札システムと同等の効果が得られる。
【０１９０】
さらに、本発明に係る請求項２３記載のチケット検札端末によれば、請求項９記載のチケット検札システムと同等の効果が得られる。
一方、本発明に係る請求項２４記載の指定席券検札端末によれば、請求項１４記載の指定席券検札システムと同等の効果が得られる。
一方、本発明に係る請求項２５記載のユーザ端末によれば、請求項９記載のチケット検札システムと同等の効果が得られる。
【０１９１】
一方、本発明に係る請求項２６記載の列車外装置によれば、請求項１４記載の指定席券検札システムと同等の効果が得られる。
一方、本発明に係る請求項２７記載の端末用プログラムによれば、請求項１９記載のチケット代替端末と同等の効果が得られる。
さらに、本発明に係る請求項２８記載の端末用プログラムによれば、請求項２０記載のチケット代替端末と同等の効果が得られる。
【０１９２】
さらに、本発明に係る請求項２９記載の端末用プログラムによれば、請求項２１記載の指定席券代替端末と同等の効果が得られる。
さらに、本発明に係る請求項３０記載の端末用プログラムによれば、請求項２２記載のチケット検札端末と同等の効果が得られる。
さらに、本発明に係る請求項３１記載の端末用プログラムによれば、請求項２３記載のチケット検札端末と同等の効果が得られる。
【０１９３】
さらに、本発明に係る請求項３２記載の端末用プログラムによれば、請求項２４記載の指定席券検札端末と同等の効果が得られる。
さらに、本発明に係る請求項３３記載の端末用プログラムによれば、請求項２５記載のユーザ端末と同等の効果が得られる。
一方、本発明に係る請求項３４記載の装置用プログラムによれば、請求項２６記載の列車外装置と同等の効果が得られる。
【０１９４】
一方、本発明に係る請求項３５記載のチケット検札方法によれば、請求項１記載のチケット検札システムと同等の効果が得られる。
さらに、本発明に係る請求項３６記載のチケット検札方法によれば、請求項９記載のチケット検札システムと同等の効果が得られる。
一方、本発明に係る請求項３７記載の指定席券検札方法によれば、請求項１４記載の指定席券検札システムと同等の効果が得られる。
【図面の簡単な説明】
【図１】本発明を適用する指定席券検札システムの構成を示す機能ブロック図である。
【図２】指定席券情報のデータ構造を示す図である。
【図３】指定席券情報送信処理を示すフローチャートである。
【図４】予約確認情報のデータ構造を示す図である。
【図５】指定席券検札処理を示すフローチャートである。
【図６】本発明を適用する指定席券検札システムの構成を示す機能ブロック図である。
【図７】予約確認情報取得処理を示すフローチャートである。
【図８】予約管理処理を示すフローチャートである。
【図９】本発明を適用する指定席券検札システムの構成を示す機能ブロック図である。
【図１０】指定席券情報提供処理を示すフローチャートである。
【図１１】発券処理を示すフローチャートである。
【図１２】指定席券検札処理を示すフローチャートである。
【図１３】予約管理処理を示すフローチャートである。
【図１４】本発明を適用する指定席券検札システムの構成を示す機能ブロック図である。
【図１５】指定席券情報送信処理を示すフローチャートである。
【図１６】指定席券検札処理を示すフローチャートである。
【図１７】指定席券情報読取処理を示すフローチャートである。
【図１８】本発明を適用する指定席券検札システムの構成を示す機能ブロック図である。
【図１９】指定席券情報送信処理を示すフローチャートである。
【図２０】指定席券検札処理を示すフローチャートである。
【図２１】指定席券情報読取処理を示すフローチャートである。
【符号の説明】
１００…指定席券カード，１０２…ＲＦＩＤ非接触型ＩＣタグ，２００…指定席券検札端末，２０２…タグ情報読取部，２０４…予約確認情報記憶部，２０６…表示部，２０８…検札処理部，２１０〜２１４…無線通信部，３００…予約管理端末，３０２…無線通信部，３０４…予約確認情報記憶部，３０６…予約管理部，３０８…ネットワーク通信部，４００…指定席券発行装置，４０２…ネットワーク通信部，４０４…タグ情報書込部，４０６…発券処理部，５００…ユーザ端末，５０２…タグ情報読取部，５０４…無線通信部，６００…列車外装置，６０２…タグ情報読取部，６０４…無線通信部，６０６…タグ情報処理部，８００…指定席券情報，８２０…予約確認情報
【図１】
2004038418.tif 000003
【図２】
2004038418.tif 000004
【図３】
2004038418.tif 000005
【図４】
2004038418.tif 000006
【図５】
2004038418.tif 000007
【図６】
2004038418.tif 000008
【図７】
2004038418.tif 000009
【図８】
2004038418.tif 000010
【図９】
2004038418.tif 000011
【図１０】
2004038418.tif 000012
【図１１】
2004038418.tif 000013
【図１２】
2004038418.tif 000014
【図１３】
2004038418.tif 000015
【図１４】
2004038418.tif 000016
【図１５】
2004038418.tif 000017
【図１６】
2004038418.tif 000018
【図１７】
2004038418.tif 000019
【図１８】
2004038418.tif 000020
【図１９】
2004038418.tif 000021
【図２０】
2004038418.tif 000022
【図２１】
2004038418.tif 000023